(57)【特許請求の範囲】
【請求項１】
冷却装置内部に相変異する物質を保持して、液体不透過性容器を実質的に形成する１つ以上の壁；
エバポレータコイルを含んでおり、前記エバポレータコイルは少なくとも部分的に液体不透過性容器内に位置している、少なくとも１つの作動する冷却ユニット；
凝縮端および蒸発端を有し、前記凝縮端が液体不透過性容器内に位置している、一方向熱伝導体；
大きさ、形および位置が、前記エバポレータコイルが通り抜けられるものである、前記液体不透過性容器の第１の開口部；
内部の表面の大きさ、形および位置が、前記一方向熱伝導体の外部の表面と一致する、前記液体不透過性容器の第２の開口部；および
実質的に貯蔵領域を形成する１つ以上の壁であって、前記１つ以上の壁の少なくとも１つの壁は前記一方向熱伝導体の蒸発端に熱接触している壁
を備え、
前記一方向熱伝導体の凝縮端は枝分かれ構造を備え、
前記エバポレータコイルが、前記液体不透過性容器の中で、前記一方向熱伝導体の凝縮端の枝分かれ構造の枝に挟まれており、
前記エバポレータコイルが、前記一方向熱伝導体と接触せず、前記相変異する物質を間に介して、前記一方向熱伝導体の凝縮端の枝分かれ構造に挟まれており、
前記エバポレータコイルは、前記液体不透過性容器の第１の開口部から下に延びており、
前記エバポレータコイルを挟んでいる、前記一方向熱伝導体の凝縮端の枝分かれ構造の枝が、上に延びている、冷却装置。
【請求項２】
前記冷却装置において、前記液体不透過性容器は前記貯蔵領域の上に位置している、請求項１に記載の冷却装置。
【請求項３】
前記一方向熱伝導体は熱サイフォンを備えている、請求項１に記載の冷却装置。
【請求項４】
前記一方向熱伝導体はヒートパイプを備えている、請求項１に記載の冷却装置。
【請求項５】
前記一方向熱伝導体の蒸発端は枝分かれ構造を備えている、請求項１に記載の冷却装置。
【請求項６】
前記実質的に貯蔵領域を形成している１つ以上の壁は、
少なくとも１つの壁が前記一方向熱伝導体の蒸発端に付着している、熱伝導性材料で製造された１つ以上の壁を含んでいる、請求項１に記載の冷却装置。
【請求項７】
前記少なくとも１つの作動する冷却ユニットに取り付けられた可変動力制御システムをさらに備えている、請求項１に記載の冷却装置。
【請求項８】
前記作動する冷却ユニットに接続されており、前記液体不透過性容器内に位置する温度センサをさらに備えている、請求項１に記載の冷却装置。
【請求項９】
前記作動する冷却ユニットに接続されており、前記貯蔵領域内に位置する温度センサをさらに備えている、請求項１に記載の冷却装置。
【請求項１０】
前記一方向熱伝導体の凝縮端および蒸発端の間の位置に付着する、熱制御装置をさらに備えている、請求項１に記載の冷却装置。
【請求項１１】
前記熱制御装置に接続されており、前記貯蔵領域内に位置する温度センサをさらに備えている、請求項１０に記載の冷却装置。
【請求項１２】
実質的に第２の貯蔵領域を形成する１つ以上の壁；
前記液体不透過性容器内に位置する凝縮端、および前記第２の貯蔵領域と熱接触している位置にある蒸発端を有する第２の一方向熱伝導体；および
内部の表面の大きさ、形および位置が、前記第２の一方向熱伝導体の外部の表面と一致する、前記液体不透過性容器の第３の開口部
をさらに備えている、請求項１に記載の冷却装置。
【請求項１３】
前記冷却装置内部に相変異する物質を保持して、第２の液体不透過性容器を実質的に形成する１つ以上の壁；
少なくとも１つの作動する冷却ユニットに付着しており、少なくとも部分的に前記第２の液体不透過性容器内に位置している、第２のエバポレータコイル；
前記第２の液体不透過性容器内に位置する凝縮端、および第２の貯蔵領域と熱接触している位置にある蒸発端を有する第２の一方向熱伝導体；および
実質的に前記第２の貯蔵領域を形成する１つ以上の壁であって、前記１つ以上の壁の少なくとも１つの壁は前記第２の一方向熱伝導体の蒸発端に熱接触している壁をさらに備えている、請求項１に記載の冷却装置。
【請求項１４】
前記冷却装置内部に相変異する物質を保持して、第２の液体不透過性容器を実質的に形成する１つ以上の壁；
少なくとも１つの第２のエバポレータコイルを含んでおり、前記少なくとも１つの第２のエバポレータコイルは少なくとも部分的に前記第２の液体不透過性容器内に位置している、作動する第２の冷却ユニット；および
実質的に第２の貯蔵領域を形成する１つ以上の壁であって、前記１つ以上の壁の少なくとも１つの壁は前記第２の液体不透過性容器に熱接触している壁
をさらに備えている、請求項１に記載の冷却装置。
【請求項１５】
前記エバポレータコイルの一部のみが、前記一方向熱伝導体の凝縮端の枝分かれ構造の枝に挟まれている、請求項１ないし１４のいずれか１項に記載の冷却装置。
【請求項１６】
前記一方向熱伝導体の凝縮端の枝分かれ構造の枝のうち２本が前記エバポレータコイルを挟み、
前記一方向熱伝導体の凝縮端の枝分かれ構造の枝のうち、前記２本より短い１本の先端が前記エバポレータコイルの先端と対向する、請求項１ないし１５のいずれか１項に記載の冷却装置。
【発明の詳細な説明】
【発明の概要】
【０００１】
優先出願の全ての主題は、本書と矛盾しない限りにおいて、参照として本書に組み込まれる。
【０００２】
いくつかの実施形態において、冷却装置は、前記冷却装置内部に相変異する物質を保持するように構成される、液体不透過性容器を実質的に形成する１つ以上の壁；エバポレータコイルセットを含んでおり、前記エバポレータコイルは少なくとも部分的に前記液体不透過性容器内に位置している、少なくとも１つの作動する冷却ユニット；凝縮端および蒸発端を有し、前記凝縮端が前記液体不透過性容器内に位置している、一方向熱伝導体；大きさ、形および位置が、少なくとも上記エバポレータコイルセットが通り抜けられるものである、前記液体不透過性容器の第１の開口；内部の表面の大きさ、形および位置が、前記一方向熱伝導体の外部の表面と一致する、前記液体不透過性容器の第２の開口；および実質的に貯蔵領域を形成する１つ以上の壁であって、前記１つ以上の壁の少なくとも１つの壁は前記一方向熱伝導体の前記蒸発端に熱接触している１つ以上の壁を備えている。
【０００３】
いくつかの実施形態において、冷却装置は、前記冷却装置内部に相変異する物質を保持するように構成される、第１の液体不透過性容器を実質的に形成する１つ以上の壁；少なくとも一部が前記第１の液体不透過性容器内に位置している、少なくとも１つの第１のエバポレータコイルセットを備えている、第１の作動する冷却システム；大きさ、形および位置が、前記少なくとも１つの第１のエバポレータコイルセットが通り抜けられるものである、前記液体不透過性容器の第１の開口；凝縮端および蒸発端を有し、前記凝縮端は前記液体不透過性容器内に位置する、一方向熱伝導体；内部の表面の大きさ、形および位置が、前記一方向熱伝導体の外部の表面と一致する、前記液体不透過性容器の第２の開口；実質的に第１の貯蔵領域を形成する１つ以上の壁であって、前記１つ以上の壁の少なくとも１つの壁は前記一方向熱伝導体の蒸発端に熱接触している壁；前記冷却装置内部に相変異する物質を保持するように構成される、第２の液体不透過性容器を実質的に形成する１つ以上の壁；前記第２の液体不透過性容器内に少なくとも部分的に位置されている、少なくとも１つの第２セットのエバポレータコイルを備える第２の作動する冷却システム；および実質的に第２の貯蔵領域を形成する１つ以上の壁であって、前記１つ以上の壁の少なくとも１つの壁は前記第２の一方向熱伝導体に熱接触している壁を備えている。
【０００４】
いくつかの実施形態において、冷却装置は、前記冷却装置内部に相変異する物質を保持するように構成される、液体不透過性容器を形成する１つ以上の壁；エバポレータコイルセットを含んでおり、前記エバポレータコイルは少なくとも部分的に前記液体不透過性容器内に位置している、少なくとも１つの作動する冷却ユニット；中空の内部を有し、前記中空の内部に揮発性の液体を有し、凝縮端および蒸発端を有し、前記凝縮端が液体不透過性容器内に位置しており、前記蒸発端がそれぞれ上端と下端を有し前記上端および下端の移動は前記揮発性の液体の圧力水頭内である連続した斜めの直線状の区画を有している、一方向熱伝導体；大きさ、形および位置が、少なくともエバポレータコイルセットが通り抜けられるものである、前記液体不透過性容器の第１の開口；内部の表面の大きさ、形および位置が、前記一方向熱伝導体の外部の表面と一致する、前記液体不透過性容器の第２の開口；および実質的に貯蔵領域を形成する１つ以上の壁であって、前記１つ以上の壁の少なくとも１つの壁は前記一方向熱伝導体の蒸発端に熱接触している壁を備えている。
【０００５】
前記の概要は、例示的なものにすぎず、決して限定することを意図するものではない。前記の例示的な態様、実施形態および特徴に加えて、さらなる態様、実施形態および特徴が、図面、および下記の詳細な説明を参照することによって明白になるであろう。
【図面の簡単な説明】
【０００６】
【図１】冷却装置の概略図である。
【図２】冷却装置の概略図である。
【図３】冷却装置の概略図である。
【図４】冷却装置の概略図である。
【図５】冷却装置の概略図である。
【図６】冷却装置の概略図である。
【図７】冷却装置の概略図である。
【図８】冷却装置の概略図である。
【図９】冷却装置の概略図である。
【図１０】冷却装置の概略図である。
【図１１】冷却装置の概略図である。
【図１２】冷却装置の概略図である。
【図１３】冷却装置の貯蔵領域の壁の概略図である。
【図１４】冷却装置の貯蔵領域の壁の概略図である。
【図１５】冷却装置および通信システムの概略図である。
【図１６】冷却装置および通信システムの概略図である。
【発明の詳細な説明】
【０００７】
下記の詳細な説明において、本明細書の一部を構成する添付図面が参照される。図面では、同様の記号は、文脈で別途指摘しない限り、通常、同様の構成要素を特定している。詳細な説明、図面および請求項で説明されている例示的な実施形態は、限定を意味するものではない。他の実施形態を利用することができ、本明細書に示される発明特定事項の精神または範囲から逸脱することなく、他の変更をすることが可能である。
【０００８】
冷却装置の態様は、ここに記載されている。例えば、いくつかの実施形態において、冷却装置は、家庭用冷蔵庫装置として使用されるのと同じ大きさ、形および構成である。例えば、いくつかの実施形態において、冷却装置は、家庭用冷蔵庫電気製品として使用するのと同じ大きさ、形および構造である。例えば、いくつかの実施形態において、冷却装置は、商業用冷蔵庫装置として使用されるのと同じ大きさ、形および構造である。例えば、いくつかの実施形態において、冷却装置は、医療用冷蔵庫装置として使用されるのと同じ大きさ、形状および構造である。
【０００９】
ここに説明されている前記冷却装置は、各冷却装置内の、少なくとも１つの貯蔵領域に対し、継続された温度管理を提供するように構成される。ここに記載されている前記冷却装置は、冷却装置が、通常の電力供給に基づいて動作され得ない場合、例えば停電の間でも、前記冷却装置の少なくとも１つの貯蔵領域に対し、継続された温度管理を提供するように設計されている。特に、ここに記載されている前記冷却装置は、冷却装置への断続的な、または不安定な電力供給の場所で役立つことを想像されている。例えば、いくつかの実施形態において、冷却装置は、冷却装置が、平均して約１０％の時間、電力を利用する間、無制限に、規定の温度の変動幅内で、１つまたは複数の内部貯蔵領域を維持するように構成され得る。例えば、いくつかの実施形態において、冷却装置 は、前記冷却装置が、平均しての約５％の時間、電力を利用する間、無期限に、規定の温度の変動幅内で、１つまたは複数の内部貯蔵領域を維持するように構成され得る。例えば、いくつかの実施形態において、冷却装置は、前記冷却装置が、平均して約１％の時間、電力を利用する間、無制限に、規定の温度の変動幅内で、１つまたは複数の内部貯蔵領域を維持するように構成され得る。例えば、いくつかの実施形態において、冷却装置は、規定の温度の変動幅内で、１つまたは複数の内部貯蔵領域を、少なくとも３０時間維持するように構成され得る。例えば、いくつかの実施形態において、冷却装置は、規定の温度の変動幅内で、１つまたは複数の内部貯蔵領域を、少なくとも５０時間維持するように構成され得る。例えば、いくつかの実施形態において、冷却装置は、規定の温度の変動幅内で、１つまたは複数の内部貯蔵領域を、少なくとも７０時間維持するように構成され得る。例えば、いくつかの実施形態において、冷却装置は、規定の温度の変動幅内で、１つまたは複数の内部貯蔵領域を、少なくとも９０時間維持するように構成され得る。例えば、いくつかの実施形態において、冷却装置は、規定の温度の変動幅内で、１つまたは複数の内部貯蔵領域を、少なくとも１１０時間維持するように構成され得る。例えば、いくつかの実施形態において、冷却装置は、規定の温度の変動幅内で、１つまたは複数の内部貯蔵領域を、少なくとも１３０時間維持するように構成され得る。例えば、例えば、いくつかの実施形態において、冷却装置は、規定の温度の変動幅内で、１つまたは複数の内部貯蔵領域を、少なくとも１５０時間維持するように構成され得る。例えば、いくつかの実施形態において、冷却装置は、規定の温度の変動幅内で、１つまたは複数の内部貯蔵領域を、少なくとも１７０時間維持するように構成され得る。
【００１０】
極端な温度に対して敏感なアイテムは、冷却装置への電力供給が遮られた場合でも、前記アイテムを長期間規定の温度の変動幅内で維持するために、冷却装置の前記１つまたは複数の貯蔵領域に貯蔵され得る。例えば、いくつかの実施形態において、電力を取得し得ない冷却装置は、周囲の外部温度が−１０℃から４３℃の間の場合、前記冷却装置の内部の１つまたは複数の貯蔵領域を、規定の温度の変動幅内で、長期間維持するように構成される。例えば、いくつかの実施形態において、電力を取得し得ない冷却装置は、周囲の外部温度が２５℃から４３℃の間の場合、前記冷却装置の内部の１つまたは複数の貯蔵領域を、規定の温度の変動幅内で、長期間維持するように構成される。例えば、いくつかの実施形態において、電力を取得し得ない冷却装置は、周囲の外部温度が３５℃から４３℃の間の場合、前記冷却装置の内部の１つまたは複数の貯蔵領域を、規定の温度の変動幅内で、長期間維持するように構成される。例えば、いくつかの実施形態において、電力を取得し得ない冷却装置は、周囲の外部温度が−３５℃から４３℃の間の場合、前記冷却装置の内部の１つまたは複数の貯蔵領域を、規定の温度の変動幅内で、少なくとも１週間維持するように構成される。例えば、いくつかの実施形態において、電力を取得し得ない冷却装置は、周囲の外部温度が−３５℃から４３℃の間の場合、前記冷却装置の内部の１つまたは複数の貯蔵領域を、規定の温度の変動幅内で、少なくとも２週間維持するように構成される。例えば、いくつかの実施形態において、電力を取得し得ない冷却装置は、周囲の外部温度が−３５℃から４３℃の間の場合、前記冷却装置の内部の１つまたは複数の貯蔵領域を、規定の温度の変動幅内で、少なくとも３０日間維持するように構成される。例えば、いくつかの実施形態において、電力を取得し得ない冷却装置は、周囲の外部温度が−１０℃以下の場合、前記冷却装置の内部の１つまたは複数の貯蔵領域を、規定の温度の変動幅内で、長期間維持するように構成される。
【００１１】
ここで使用されているように、「冷却装置」は、少なくとも前記時間の一部外部電源を利用し、かつ周囲の温度以下の温度で物質を、長期間、常に貯蔵するように構成される内部貯蔵領域を有する装置に言及している。いくつかの実施形態において、冷却装置は、２つの内部貯蔵領域を備えている。いくつかの実施形態において、冷却装置は、２つ以上の内部貯蔵領域を備えている。いくつかの実施形態において、冷却装置は、２つまたは２つ以上の内部貯蔵領域を備えており、それぞれの前記貯蔵領域は、異なる温度の変動幅内に内部温度を維持するように構成される。一般的に、冷却装置は、作動する冷却システムを備えている。いくつかの実施形態において、冷却装置は、局地的な電力供給から電気的に動力を供給される。いくつかの実施形態において、冷却装置は、太陽熱発電システムから動力を供給される。いくつかの実施形態において、冷却装置は、バッテリーから動力を供給される。いくつかの実施形態において、冷却装置は、例えばディーゼル発電機のような発電機から動力を供給される。
【００１２】
いくつかの実施形態において、冷却装置は、冷蔵庫である。冷蔵庫は、一般的に、内部に貯蔵されたアイテムを、０より高く、見込まれる周囲の温度よりも低い規定の温度の変動幅で保持するようにキャリブレーションされている。冷蔵庫は、例えば、内部温度を１℃から４℃の間で維持するように設計され得る。いくつかの実施形態において、冷却装置は、標準の冷凍庫である。一般的に、冷凍庫は、内部に貯蔵されたアイテムを、０以下、極低温よりも高い温度の変動幅で維持するようにキャリブレーションされている。冷凍庫は、例えば、内部温度を−２３℃から−１７℃の間で維持するように、または、例えば、内部温度を−１８℃から−１５℃の間で維持するように設計され得る。いくつかの実施形態において、冷却装置は、冷蔵室および冷凍室の両方を備えている。例えば、いくつかの冷却装置は、常に冷蔵庫の温度の変動幅を維持する第１の内部貯蔵領域、および常に冷凍庫の温度の変動幅を維持する第２の内部貯蔵領域を備えている。
【００１３】
いくつかの実施形態において、冷却装置は、前記冷却装置の内部貯蔵領域を、規定の温度の変動幅内で維持するように構成される。「規定の温度の変動幅」は、ここで使用されているように、使用される冷却装置の特定の実施形態の内部貯蔵領域に対して好ましいと前もって決定された温度の変動幅に言及している。規定の温度の変動幅は、冷却装置を使用中に、冷却装置の内部貯蔵領域の温度を維持する、安定した前記温度の変動幅である。例えば、いくつかの実施形態において、冷却装置は、前記冷却装置の内部貯蔵領域を、約２℃から８℃の規定の温度の変動幅内で維持するように構成される。例えば、いくつかの実施形態において、冷却装置は、前記冷却装置の内部貯蔵領域を、約１℃から９℃の規定の温度の変動幅内に維持するように構成される。例えば、いくつかの実施形態において、冷却装置は、前記冷却装置の内部貯蔵領域を、約−１５℃から−２５℃の規定の温度の変動幅内に維持するように構成される。例えば、いくつかの実施形態において、冷却装置は、前記冷却装置の内部貯蔵領域を、約−５℃から−１０℃の規定の温度の変動幅内に維持するように構成される。
【００１４】
例えば、いくつかの実施形態において、冷却装置は、電力が前記冷却装置に利用できない場合、前記冷却装置の内部貯蔵領域を、少なくとも約５０時間、規定の温度の変動幅内で維持するように構成される。例えば、いくつかの実施形態において、冷却装置は、電力が前記冷却装置に利用できない場合、前記冷却装置の内部貯蔵領域を、少なくとも約１００時間、規定の温度の変動幅内で維持するように構成される。例えば、いくつかの実施形態において、冷却装置は、電力が前記冷却装置に利用できない場合、前記冷却装置の内部貯蔵領域を、少なくとも約１５０時間、規定の温度の変動幅内で維持するように構成される。例えば、いくつかの実施形態において、冷却装置は、電力が前記冷却装置に利用できない場合、前記冷却装置の内部貯蔵領域を、少なくとも約２００時間、規定の温度の変動幅内で維持するように構成される。
【００１５】
いくつかの実施形態において、冷却装置は、電力が前記冷却装置に利用できない場合、前記冷却装置の内部の１つまたは複数の貯蔵領域を、規定の温度の変動幅内で受動的に維持するように構成される。いくつかの実施形態において、冷却装置は、最小限の電力が前記冷却装置に利用できる場合、前記冷却装置の内部の１つまたは複数の貯蔵領域を、規定の温度の範囲内で長期間維持するように構成される。いくつかの実施形態において、冷却装置は、低電圧の電力が前記冷却装置に利用できる場合、前記冷却装置の内部の１つまたは複数の貯蔵領域を、規定の温度の範囲内で長期間維持するように構成される。いくつかの実施形態において、冷却装置は、可変電力が前記冷却装置に利用できる場合、前記冷却装置の内部の１つまたは複数の貯蔵領域を、規定の温度の範囲内で長期間維持するように構成される。例えば、いくつかの実施形態において、前記冷却装置は、可変電力制御システムを備えている。例えば、いくつかの実施形態において、冷却装置は、バッテリーを備えている。いくつかの実施形態において、前記冷却装置は、電力がない、かつバッテリーを備えていない場合、受動的に動作する。
【００１６】
図１を参照すると、示されているのは、ここに説明されている１つ以上の過程および／または装置を導入する背景となる、冷却装置の実施例である。図１は、前記冷却装置内部に１つの貯蔵領域を備える冷却装置１００を描写している。１つのドア１２０は、前記冷却装置の前記１つの貯蔵領域を、前記装置の外部のユーザに対して実質的に開く。前記装置のユーザは、前記ドア１２０を開くためにハンドル１２５を使用し得る。前記冷却装置１００は、目に見える外壁１１０の前面とともに描写されている。冷却装置のいくつかの実施形態は、例えば、局地的な電源または太陽熱発電システムのような電源から動作されるように構成され得る。例えば、図１に示されている冷却装置１００の前記実施形態は、前記電源に接続するための電源コード１３０を備えている。
【００１７】
いくつかの実施形態において、前記冷却装置内部に相変異する物質を保持するように構成される、液体不透過性容器を実質的に形成する１つ以上の壁；少なくとも一部が前記液体不透過性容器内に位置している、エバポレータコイルセットを備えている、少なくとも１つの作動する冷却ユニット；凝縮端および蒸発端を有し、前記凝縮端が前記液体不透過性容器内に位置している、一方向熱伝導体；前記液体不透過性容器内の第１の開口を有し、大きさ、形および位置が、前記エバポレータコイルセットエバポレータコイルセットが通り抜けられるものである、前記液体不透過性容器の第１の開口；前記液体不透過性容器内の第２の開口を有し、内部の表面の大きさ、形および位置が、前記一方向熱伝導体の外部の表面と一致する、前記液体不透過性容器の第２の開口；および実質的に貯蔵領域を形成する１つ以上の壁であって、前記１つ以上の壁の少なくとも１つの壁は前記一方向熱伝導体の蒸発端に熱接触している壁を備えている、冷却装置。
【００１８】
図２は、冷却装置１００の内部を説明するための、実質的に垂直な断面図を描写している。前記冷却装置は、液体不透過性容器を備えた上部領域２８０を備えている。前記冷却装置は、熱制御貯蔵領域を備える下部領域２９０を備えている。前記冷却装置は、液体不透過性容器を囲む壁２００を備えている。前記液体不透過性容器は、前記冷却装置内部に相変異する物質を保持するように構成される。説明されている実施形態において、前記液体不透過性容器は、実質的に直方体の構造に成形される。いくつかの実施形態において、液体不透過性容器は、前記実施形態の、例えば熱および大きさの必要条件のような必要条件を満たすために、円錐状または円筒型の構造に成形される。前記液体不透過性容器は、前記実施形態の必要に応じて、冷却装置を使用している間、相変異する物質を前記液体不透過性容器内に保持するために、密閉された端を有する壁を有する。いくつかの実施形態において、液体不透過性容器は、耐久性のあるプラスチック材料から作られる。いくつかの実施形態において、液体不透過性容器は、例えばアルミニウムのような、金属材料から作られる。いくつかの実施形態において、液体不透過性容器は、耐食コーティングを含むように作られる。いくつかの実施形態において、液体不透過性容器は、抗電解腐食および／または反イオン化ユニットを含むように作られる。いくつかの実施形態において、液体不透過性容器は、前記液体不透過性容器の上面内にアクセス蓋を備えており、前記アクセス蓋は、ユーザが前記液体不透過性容器内部にアクセスするために、構成される。使用中、前記液体不透過性容器は、前記液体不透過性容器内に保持されている相変異する物質を含む。
【００１９】
前記液体不透過性容器の前記壁２００の第１の開口２３０は、前記液体不透過性容器のほぼ中央上部に位置されている。エバポレータコイルセット２１０は、前記液体不透過性容器内に前記エバポレータコイルセット２１０の一部を位置するために、前記液体不透過性容器内の前記壁２００上の前記第１の開口を通り抜ける。いくつかの実施形態は、２セットのエバポレータコイルを備えている。いくつかの実施形態は、２セット以上のエバポレータコイルを備えている。使用中、前記液体不透過性容器は、相変異する物質を含んでおり、前記エバポレータコイルセットは、前記相変異する物質と直接接触している（図３参照）。いくつかの実施形態において、使用中、前記エバポレータコイルセットの外部の表面の大部分が、前記相変異する物質と直接接触するように、前記エバポレータコイルセットの大部分は、前記液体不透過性容器内部に位置されている。前記エバポレータコイルセットの前記外部の表面と前記相変異する物質との間の直接的な接触は、前記エバポレータコイルセットと前記相変異する物質との間に熱伝導を促す。いくつかの実施形態において、前記液体不透過性容器は、前記相変異する物質内の熱伝導を増すように位置され、かつ構成される熱移動構造を備えている。いくつかの実施形態において、前記冷却装置は、前記相変異する物質と前記液体不透過性容器内のエバポレータコイルセットとの間に熱伝導を促すように位置され、かつ構成される熱移動構造を備えている。例えば、いくつかの実施形態において、前記冷却装置は、前記相変異する物質と接触するように位置されている１つ以上の熱フィンまたは同様の構造を備えている。例えば、いくつかの実施形態において、前記冷却装置は、前記液体不透過性容器内の前記エバポレータコイルセットに付属している１つ以上の熱フィンを備えている。例えば、いくつかの実施形態において、前記冷却装置は、前記液体不透過性容器の外側の位置に、前記エバポレータコイルセットに付属している１つ以上の熱フィンを備えている。例えば、いくつかの実施形態において、前記冷却装置は、前記液体不透過性液体内部の一方向熱伝導体の凝縮端に付属されている１つ以上の熱フィンを備えている。
【００２０】
いくつかの実施形態は、少なくとも部分的に前記液体不透過性容器内に位置している、かつ少なくとも部分的に前記液体不透過性容器の外部と熱接触している、エバポレータコイルセットを備えている。例えば、いくつかの実施形態は、部分的に前記液体不透過性容器内に位置している、かつ部分的に前記液体不透過性容器の外部に取り囲まれ、付属されているエバポレータコイルセットを含んでいる。いくつかの実施形態は、２セットのエバポレータコイルを備えており、エバポレータコイルセットは、少なくとも部分的に前記液体不透過性容器内に位置しており、エバポレータコイルセットは、前記液体不透過性容器の外部に隣接し、かつ熱接触している。
【００２１】
前記エバポレータコイルセット２１０は、作動する冷却ユニットの一部分である。いくつかの実施形態において、作動する冷却ユニットは、圧縮機システムを備えることが可能であり、そのような圧縮システムに通常利用される構成要素を備えている。例えば、作動する冷却ユニットは、１セット以上の、エバポレータコイル、圧縮機およびコンデンサを備え得る。いくつかの実施形態において、作動する冷却ユニットは、前記システムに利用し得る入力電力次第で様々なレベルで動作するように構成された可変速度圧縮機を備えている。例えば、いくつかの実施形態は、コントローラからの制御信号に基づいて前記ユニットの速度を変化させる可変速度圧縮機を備えており、前記コントローラは、様々な入力電力に応じて制御信号を送信する。いくつかの実施形態において、作動する冷却ユニットは、例えばペルティエ装置のような、熱電ユニットを備え得る。いくつかの実施形態において、作動する冷却ユニットは、吸収式サイクル冷却システムを備え得る。いくつかの実施形態は、作動する冷却ユニットに統合されている１つ以上のセンサを備えており、前記１つ以上のセンサは、前記作動する冷却ユニットの作動パラメータを検知するように位置され、かつ構成される。例えば、圧縮機システムを備えている、作動する冷却ユニットは、１つ以上の圧縮機センサを備えることが可能であり、前記圧縮機センサは、前記圧縮機システム内でガスの圧力変化を検知するように位置され、かつ構成される。例えば、作動する冷却ユニットは、任意のいかなる時点でも、前記システムの状況を検知するように位置され、かつ構成される、１つ以上の消費電力、電圧および／または電流センサを備え得る。前記センサは、例えば、送信機、コントローラおよび／またはメモリユニットに、動作可能に取り付けられ得る。前記センサは、例えば、グラフィックディスプレイまたはインジケータライトのような、ユーザインターフェースに動作可能に取り付けられ得る。いくつかの実施形態は、コントローラに動作可能に取り付けられた１つ以上のセンサを備えており、前記コントローラは、前記センサからの情報に応じて、前記作動する冷却ユニットの動作を調整するように構成された回路を備えている。例えば、いくつかの実施形態において、前記コントローラは、可変速度圧縮機の、例えば速度の変更を動作するために信号を送信可能であった。例えば、いくつかの実施形態において、前記コントローラは、前記作動する冷却ユニット内のコンデンサコイルの上の空気の循環を増大させるために位置されたファンを動作するために、信号を送信可能であった。１つ以上のセンサからの情報に応じて、前記作動する冷却ユニットの動作を適応させるように構成される回路を備えているコントローラは、例えば、前記装置の性能、効率および／または耐久性を最大限にすることによって、前記冷却装置の動作を向上させ得る。
【００２２】
図２に説明されている実施形態において、前記エバポレータコイル２１０は、前記冷却装置の室上部の背面の壁にある開口２７０を通り抜ける。説明されている実施形態において、前記作動する冷却ユニットの他の構成要素は、目に見える前記エバポレータコイルセットに接続されており、かつ前記冷却装置の室上部の背面の壁の裏面上に位置されている（例えば、図２の図解では見えない）。
【００２３】
図２で説明されている実施形態はまた、凝縮端２２３および蒸発端２２７を有する一方向熱伝導体２２０を備えている。前記一方向熱伝導体２２０の前記凝縮端２２３は、前記液体不透過性容器内に位置している。前記液体不透過性容器の前記壁２００は、第２の開口２４０を備えている。第２の開口２４０は、大きさ、形および位置が、前記一方向熱伝導体２２０の外部の表面と一致する内部の表面を備えている。いくつかの実施形態において、前記液体不透過性容器の前記第２の開口は、実質的に前記液体不透過性容器の下方の表面内に位置されている。いくつかの実施形態において、前記液体不透過性容器の前記第２の開口は、前記液体不透過性容器と、前記開口を通り抜ける前記熱伝導体の外部の表面との間に位置されている液体不透過性蓋を備えている。いくつかの実施形態において、１つ以上の蓋構造は、前記一方向熱伝導体の外部の表面と、前記液体不透過性容器の前記第２の開口の表面との間に位置されている。例えば、いくつかの実施形態は、前記一方向熱伝導体の外部の表面と、前記液体不透過性容器の前記第２の開口の表面との間に位置されている蓋リングまたは同様の構造を備え得る。前記冷却装置は、前記貯蔵領域からの熱が、前記貯蔵領域と前記冷却装置の他の領域との間での空気の移動なしに、前記一方向熱伝導体を通って液前記体不透過性容器内の相変異する物質へ移動され得るように構成される。
【００２４】
「一方向熱伝導体」は、ここで使用されているように、前記一方向熱伝導体の長軸に沿って一方向に熱伝導可能なように、その上、前記同一の長軸に沿った反対方向への熱伝導を実質的に抑制するように構成された構造に言及している。一方向熱伝導体は、前記一方向熱伝導体の長さに沿った一方向に熱エネルギー（例えば、熱）の伝達を促進するように、その上、前記一方向熱伝導体の長さに沿った反対方向への伝達を実質的に抑制するように設計され、導入されている。いくつかの実施形態において、例えば、一方向熱伝導体は、直線状ヒートパイプ装置を備えている。いくつかの実施形態において、例えば、一方向熱伝導体は、熱サイホンを備えている。いくつかの実施形態において、例えば、一方向熱伝導体は、熱ダイオード装置を備えている。例えば、一方向熱伝導体は、熱伝導物質から作られる中空のチューブを備え得、前記中空のチューブは、各端を密閉されており、揮発性の液体状態および気体の状態両方の蒸発性の液体を含んでいる。例えば、一方向熱伝導体は、実質的に密閉された内部領域を有するチューブ状の構造、および前記実質的に密閉された内部領域内に密閉された蒸発性の流体を備え得る。いくつかの実施形態において、例えば、一方向熱伝導体は、１／２インチ径の銅管として構成される。いくつかの実施形態において、一方向熱伝導体は、ロールボンド技術を用いて、全体または部分的に作られ得る。いくつかの実施形態において、一方向熱伝導体は、前記一方向熱伝導体の内部の表面に沿って蒸発性の液体を分配するように位置され、かつ構成される内部形態を備え得る。例えば、一方向熱伝導体は、蒸発性の液体を内部の表面に沿って分配するための、溝、導管または同様の大きさ、形および位置の構造を有する内部の表面を備え得る。いくつかの実施形態において、一方向熱伝導体は、内部全体または内部の特定の領域に、内部ウィック構造を備え得る。いくつかの実施形態において、一方向熱伝導体は、内部全体または内部の特定の領域に、内部焼結構造を備え得る。
【００２５】
いくつかの実施形態において、一方向熱伝導体は、複数の中空の枝分かれを備え得、それぞれが、互いに蒸気結合しており、それぞれが、揮発性の液体の状態および気体の状態両方に蒸発性の液体を含み得る。いくつかの実施形態は、複数の一方向熱伝導体を備えている。例えば、いくつかの実施形態は、単軸に沿って平行に配置されている複数の一方向熱伝導体を備えている。例えば、いくつかの実施形態は、前記冷却装置の異なる領域で利用されている複数の一方向熱伝導体を備えており、前記複数の一方向熱伝導体は、互いに単独で作動する。いくつかの実施形態は、同一の蒸発性の液体を含む複数の一方向熱伝導体を備えている。いくつかの実施形態は、例えば、冷却装置の異なる領域に位置されている異なる蒸発性の液体を含んでいる複数の一方向熱伝導体を備えている。
【００２６】
一方向熱伝導体は、前記蒸気性の液体の、前記液体の状態および気体の状態が、熱平衡になるように構成される。一方向熱伝導体は、作られる間、実質的に排気され、次に、気体不透過性蓋を用いて密封されるため、前記熱伝導体内に存在する実質的にすべての気体は、存在する前記液体の、気体の状態である。一方向熱伝導体内の蒸気圧は、実質的に完全に前記液体の蒸気圧であるため、全体の蒸気圧は、前記液体の部分的な圧力と実質的に同等である。一方向熱伝導体は、蒸発性の液体および蒸発性の液体の蒸気両方への内部流路を備えている。いくつかの実施形態において、前記一方向熱伝導体は、前記一方向熱伝導体の内部内の蒸発性の液体の２つの相の流れに対して十分な内部流路を備えている。いくつかの実施形態において、一方向熱伝導体は、実質的に垂直位で動作するように構成され得、前記一方向熱伝導体内の蒸気上昇、および前記上端での凝縮を通して行われる、前記下端から前記上端への熱伝導を伴う。いくつかの実施形態において、前記一方向熱伝導体内の蒸発性の液体の表面は、断熱容器の壁の下面よりも高くないように位置されている。いくつかの実施形態において、前記一方向熱伝導体は、蒸発性の液体を含んでおり、前記一方向熱伝導体が容器内の、予想される位置にある場合、前記蒸発性の液体の予想される表面準位は、温度調節容器の貯蔵領域内である。
【００２７】
いくつかの実施形態において、例えば、一方向熱伝導体は、１つ以上のアルコールを含む蒸発性の液体を含んでいる。いくつかの実施形態において、例えば、一方向熱伝導体は、一般的に冷媒として使用される１つ以上の液体を含む蒸発性の液体を備えている。いくつかの実施形態において、例えば、一方向熱伝導体は、水を含んでいる。いくつかの実施形態において、例えば、一方向熱伝導体は、Ｒ−１３４Ａ冷媒、イソブタン、メタノール、アンモニア、アセトン、水、イソブテン、ペンタンまたはＲ−４０４冷媒を含む蒸発性の液体を含んでいる。
【００２８】
いくつかの実施形態は、細長い構造を含む一方向熱伝導体を備えている。たとえば、一方向熱伝導体は、実質的に管状構造を備え得る。一方向熱伝導体は、実質的に直線状構造として構成され得る。一方向熱伝導体は、実質的に非線形の構造として構成され得る。例えば、一方向熱伝導体は、非線形の管状構造として構成され得る。いくつかの実施形態において、１つ以上の熱伝導ユニットは、一方向熱伝導体の外部の表面に取り付けられている。例えば、熱伝導材料から作られる、フィン状構造のような、１つ以上のプレーナー構造は、一方向熱伝導体の外部の表面に取り付けられ得、かつ前記一方向熱伝導体と隣接領域との間の熱伝導を促進するために位置され得る。一方向熱伝導体は、熱伝導材料から作られ得る。例えば、一方向熱伝導体は、銅、アルミニウム、銀または金を含み得る。
【００２９】
いくつかの実施形態において、一方向熱伝導体は、実質的に細長い構造を備え得る。例えば、一方向熱伝導体は、実質的に管状の構造を備え得る。前記実質的に細長い構造は、前記構造内に、気体不透過性蓋で密閉されている蒸発性の液体を含んでいる。例えば、一方向熱伝導体は、密着されているまたは捲縮されている気体不透過性蓋を備え得る。いくつかの実施形態において、前記蒸発性の液体は、１つ以上の、水、エタノール、メタノールまたはブタンガスを含んでいる。実施形態における前記蒸発性の液体の選択は、前記一方向熱伝導体内の気体の圧力を含む、前記実施形態における特定の前記一方向熱伝導体構造内の前記蒸発性の液体の蒸発温度を含む要素によって決定する。前記一方向熱伝導体の構造の内部は、前記実施形態に含まれる前記蒸発性の液体の蒸気圧より低い、気体の圧力を含む。前記一方向熱伝導体が、温度制御された容器内に実質的に垂直位で位置されている場合、前記蒸発性の液体は、前記一方向熱伝導体の下部の一部分から蒸発し、結果として生じる蒸気は、前記一方向熱伝導体の上部の一部分へ上昇し、かつ凝縮し、従って、熱エネルギーを、前記一方向熱伝導体の下部の一部分から、上部の一部分へ移動させる。いくつかの実施形態において、一方向熱伝導体は、前記凝縮端と前記蒸発端との間に位置されている断熱領域、および前記液体不透過性容器と前記冷却装置の前記貯蔵領域との間に位置されている断熱領域を含む構造を備えている。
【００３０】
いくつかの実施形態は、熱伝導結合ブロックおよびヒートパイプに付属されている一方向熱伝導体を備えている。前記結合ブロックおよびヒートパイプは、例えば、前記一方向熱伝導体の長さに沿った熱の移動を加減するように位置され、かつ構成される。
【００３１】
前記一方向熱伝導体は、凝縮端および蒸発端を備えている。凝縮端は、前記液体不透過性容器内に位置されている。使用中、前記凝縮端は、前記相変異する物質と直接熱接触している。いくつかの実施形態において、前記凝縮端は、枝分かれ構造を備えている。いくつかの実施形態において、前記凝縮端は、前記凝縮端と、前記相変異する物質と、前記エバポレータコイルセットとの間での熱の移動を促進させる前記エバポレータコイルセットと相対的に位置されている、前記液体不透過性容器内に位置されている枝分かれ構造を備えている。いくつかの実施形態において、前記凝縮端は、例えばフィンまたはプレートのような、付属されている熱移動構造を有する枝分かれ構造を備えている。いくつかの実施形態において、前記凝縮端は、前記相変異する物質が使用中に凍結しそうである、前記液体不透過性容器内の場所から先端に位置されている枝分かれ構造を備えている。いくつかの実施形態において、前記蒸発端は、枝分かれ構造を備えている。いくつかの実施形態において、前記蒸発端は、少なくとも２つの構造的領域に枝分かれしており、それぞれの領域は蒸発性の液体を含む、蒸発端を備えている。いくつかの実施形態において、前記蒸発端は、少なくとも２つの構造的領域に枝分かれしており、それぞれの領域は、蒸発性の液体を保持するように構成されるリザーバ構造を備えている、蒸発端を備えている。いくつかの実施形態において、一方向熱伝導体は、中空の内部を備えており、かつ中空の内部内に蒸発性の液体を含んでおり、前記蒸発端は、それぞれ上端と下端を有し、前記上端および下端の移動は前記蒸発性の液体の圧力水頭内である連続した斜めの直線状の区画を備えている。いくつかの実施形態において、前記蒸発端は、実質的に貯蔵領域を形成している前記１つ以上の壁の少なくとも３つの壁に直接熱接触するように位置されている。いくつかの実施形態において、前記蒸発端は、前記貯蔵領域の下部の壁に相対的に９０度未満の角度で位置されている。
【００３２】
冷却装置は、実質的に貯蔵領域を形成している１つ以上の壁を備えており、少なくとも１つ以上の壁は、前記一方向熱伝導体の前記蒸発端に熱接触している。例えば、図２に説明されている実施形態において、前記一方向熱伝導体２２０は、貯蔵領域の背面の壁２５０に直接付着されている蒸発端２２７を備えている。理論に縛られることなく、前記貯蔵領域内での温度の変動幅は、前記貯蔵領域の内部から前記一方向熱伝導体への熱の移動を通して、熱的に制御されている。いくつかの実施形態において、実質的に貯蔵領域を形成する前記１つ以上の壁は、熱伝導材料から作られる１つ以上の壁を備えており、前記１つ以上の壁のうちの少なくとも１つは、前記熱伝導体の前記蒸発端に付着されている。例えば、いくつかの実施形態において、前記１つ以上の壁は、アルミニウムから作られている。例えば、いくつかの実施形態において、前記１つ以上の壁は、銅から作られている。
【００３３】
いくつかの実施形態において、ファンは、前記貯蔵領域内に付属されており、前記ファンは、前記一方向熱伝導体の前記蒸発端に対する空気の流れを増進させるように位置され、かつ構成される。いくつかの実施形態において、ファンは、前記貯蔵領域内に付属されており、前記ファンは、動作可能なように前記コントローラに接続されており、前記コントローラによって送信される信号に対して動作するように構成される。前記コントローラは、例えば、前記貯蔵領域へのドアの開放を検知するセンサに応じて、スイッチを入れるために前記ファンに信号を送り得る。前記コントローラは、例えば、前記貯蔵領域内の規定の温度を検知するセンサに応じて、スイッチを入れるために前記ファンに信号を送り得る。
【００３４】
いくつかの実施形態において、貯蔵領域を実質的に形成する前記１つ以上の壁は、前記冷却装置のユーザが、貯蔵領域にアクセスできるように位置され、かつ構成される可逆閉鎖ドアを備えている。例えば、前記図１を参照されたい。いくつかの実施形態において、冷却装置は、前記貯蔵領域に付属されているドアを備えており、前記ドアは、前記ドアからの最小限の熱の漏出で、ユーザが、前記貯蔵領域にアクセスできるように位置され、かつ構成される。いくつかの実施形態において、１つ以上のセンサは、前記ドアに付属されており、前記センサは、前記ドアの開放を検知するように位置され、かつ構成される。いくつかの実施形態において、前記センサは、前記ドアが開放されている時間分を検知するように位置され、かつ構成される。前記ドアに付属されている１つ以上のセンサは、動作可能なようにコントローラおよび／または送信機ユニットに接続され得る。前記ドアに付属されている１つ以上のセンサは、動作可能なように、コントローラおよび／またはメモリユニットに接続され得る。前記ドアに付属されている１つ以上のセンサは、動作可能なように、例えばグラフィックディスプレイまたは光のようなユーザインジケータに接続される。
【００３５】
いくつかの実施形態において、冷却装置は、前記液体不透過性容器の周囲の、前記冷却装置の外部を形成するシェル、前記少なくともエバポレータコイルセット、前記熱伝導体および前記貯蔵領域を備えている。例えば、図２に示されている前記実施形態において、シェル２６５は、前記冷却装置の目に見える構成要素の前記外部を囲んでいる。シェルは、例えば、ファイバーグラス材料またはステンレススチールまたはアルミニウムのような金属といった剛体材料から作られ得る。いくつかの実施形態において、冷却装置は、前記貯蔵領域の外部の表面に隣接して位置されている断熱材を備えている。いくつかの実施形態において、冷却装置は、前記液体不透過性容器の外部の表面に隣接して位置されている断熱材を備えている。例えば、図２に説明されている前記実施形態において、断熱材２６０は、前記液体不透過性容器の前記壁２００の前記外部を囲んでおり、前記外部の壁は、実質的に貯蔵領域を形成している。前記断熱材は、前記液体不透過性容器の前記壁の前記外部および貯蔵領域を実質的に形成している前記外部の壁に可逆に結合する大きさおよび形であり得る。前記断熱材は、特定の実施形態における前記一方向熱伝導体を通した熱の移動によって、および前記実施形態の、望まれている使用シナリオのために、実質的にバランスが取られているレベルまで、前記貯蔵領域からの熱漏出を削減するための、実質的な厚み、質および構成である。例えば、いくつかの実施形態において、前記冷却装置および断熱材は、約３０Ｗの熱漏出を有する。例えば、いくつかの実施形態において、約２５Ｗの熱漏出を有する。例えば、いくつかの実施形態において、前記冷却装置および断熱材は、約２０Ｗの熱漏出を有する。例えば、いくつかの実施形態において、前記冷却装置および断熱材は、約１５Ｗの熱漏出を有する。例えば、いくつかの実施形態において、前記冷却装置および断熱材は、約１０Ｗの熱漏出を有する。例えば、いくつかの実施形態において、前記断熱材は、発泡断熱材から作られる。例えば、いくつかの実施形態において、前記断熱材は、真空断熱パネル（「ＶＩＰ」）から作られる。
【００３６】
いくつかの実施形態において、冷却装置は、市営電力供給網の断続的な不足または太陽熱発電が利用できないことが原因等で、断続的に電力利用できる場所で使用されることが予測されている。冷却装置は、例えば、少なくとも１つの動作する冷却ユニットに付属されるバッテリーを備え得る。冷却装置は、例えば、規定の期間（例えば、２日間、３日間または４日間）電力がない場合に、前記動作する冷却ユニットを作動させるためにバッテリーの電力を利用するように構成され得る。冷却装置は、例えば、前記冷却装置内に位置された温度センサが既定の閾値を超えた温度を検知する場合、前記動作する冷却ユニットを条件付きで作動するためにバッテリーの電力を利用するように構成され得る。
【００３７】
いくつかの実施形態において、冷却装置は、例えば、時間の経過で変化する電圧の電力供給のような、変化する電力を使用できる場所で資料されることが予測されている。冷却装置は、例えば、前記少なくとも１つの作動する冷却ユニットに付属された可変電力制御システムを備え得る。いくつかの実施形態において、可変電力制御システムは、１１０、２２０Ｖ  ＡＣおよび１２から２４Ｖ  ＤＣのような、異なる源からの電力を受け取るように設計され得る。いくつかの実施形態において、可変電力制御システムは、電力変換装置を備え得る。前記電力変換装置は、例えば、ＡＣ入力からＤＣへ変換するように構成され得る。前記電力変換装置は、例えば、可変ＡＣ入力を２２０Ｖ  ＡＣに変換するように構成され得る。いくつかの実施形態において、可変電力制御システムは、自動電圧調整器を備えている。例えば、電気グリッドを不十分に機能させる場所での使用のために構成される冷却装置は、９０Ｖ  ＡＣから２５０Ｖ  ＡＣの範囲で電力を受け取り、かつ一体型自動電圧調整装置を用いて、前記入力を安定した２２０Ｖ  ＡＣに変換するように構成され得る。冷却装置は、前記冷却装置への電力供給を検知するように位置され、かつ構成される、１つ以上の電圧および／または電流センサを備え得る。前記センサは、コントローラおよび／または送信機ユニットおよび／またはメモリユニットに付属され得る。
【００３８】
冷却装置のいくつかの実施形態は、例えば市営電力網のような電力網からの、決まった電気によって、または決まった電気なしで、動作可能なように設計されている。例えば、冷却装置は、電力網が使用可能な場合、電力網からの動作、および例えば他のときには、光電池ユニットのような代わりの電源からの動作を可能にするように構成され得る。例えば、冷却装置は、ユーザから入力に応じて電力網からの動作を可能にする、かつ例えば太陽エネルギーの利用の可能性のような他の入力に応じて光電池ユニットのような代わりの電源からの動作を可能にするように構成され得る。いくつかの実施形態は、例えば、バッテリーに電力を供給するように構成される光電池ユニットを備えている。いくつかの実施形態は、例えば、冷却装置に直接電力を供給するように構成される光電池ユニットを備えている。いくつかの実施形態は、最高５０ワット（Ｗ）の電力を有する光電池ユニットを備えている。いくつかの実施形態は、最高１００ワット（Ｗ）の電力を有する光電池ユニットを備えている。いくつかの実施形態は、最高１５０ワット（Ｗ）の電力を有する光電池ユニットを備えている。いくつかの実施形態は、最高２００ワット（Ｗ）の電力を有する光電池ユニットを備えている。いくつかの実施形態は、可用性およびユーザの好みによって異なる電源からエネルギーを利用するように構成される。例えば、いくつかの実施形態は、光電池ユニットから電力を受け取る回路、および前記作動する冷却装置へ直接、またはバッテリーへ、前記受け取った電力を導くためのコントローラを備えている。この選択は、インターフェースを通してユーザによって導かれ得る、もしくは日時、外部の温度または前記冷却装置内の１つ以上の温度センサからの温度の情報のような規定の基準に基づいて、制御され得る。いくつかの実施形態は、冷却装置の前記検知された状態に対応するように構成されたコントローラを備えている。いくつかの実施形態は、冷却装置の、既存の前記作動する冷却システムに電力を供給するために、１２ボルト（Ｖ）のバッテリーからサージする１５０−２００Ｗの電力インバータを通して電力を導くように構成される、回路を備えている。いくつかの実施形態は、貯蔵領域内の前記温度センサからの情報に応じて、前記コントローラの制御下の密閉された前記バッテリーから、熱電ユニットに電力を供給するように構成される。前記温度制御された容器の前記内部の貯蔵領域が、１５リッター（Ｌ）から５０Ｌの範囲内である実施形態に対しては、最高５０Ｗの光電池ユニットは、２４時間当たりの、前記光電気セルからの連続した１時間の最大出力を伴った、約２℃から８℃の間の規定の温度の変動幅を維持することが可能なはずである。前記装置は、前記バッテリーが、使用中のバッテリーの寿命を延長させるために、設定閾値未満（例えば充電の８０％）で使い尽くされることはないということを確実にするために、チャージモニターも備え得る。
【００３９】
図３は、使用中の冷却装置の状況を説明している。図３に示されるように、前記液体不透過性容器は、相変異する物質３００を備えている。前記相変異する物質３００は、前記液体不透過性容器の前記上部の壁の下の前記相変異する物質の上面３１０まで、前記液体不透過性容器を実質的に満たす。いくつかの実施形態において、相変異する物質は、前記液体不透過性容器を、使用中、前記容器の容積の約８０％まで実質的に満たす。いくつかの実施形態において、相変異する物質は、前記液体不透過性容器を、使用中、前記容器の容積の約８５％まで実質的に満たす。いくつかの実施形態において、相変異する物質は、前記液体不透過性容器を、使用中、前記容器の容積の約９０％まで実質的に満たす。いくつかの実施形態において、相変異する物質は、前記液体不透過性容器を、使用中、前記容器の容積の約９５％まで実質的に満たす。
【００４０】
使用中、熱は、前記一方向熱伝導体２２０の前記凝縮端２２３から前記相変異する物質３００へ移動される。その後、前記熱は、前記冷却ユニットが動作中の場合、前記冷却ユニットの前記エバポレータコイルセット２１０を通して、前記相変異する物質から除去される。例えば、停電または太陽エネルギーがない期間など、前記冷却ユニットが動作不可能な期間、前記熱は、前記貯蔵領域の前記適切な温度を維持するために前記相変異する物質へ移動され得る。前記貯蔵領域からの熱は、前記蒸発端上の前記貯蔵領域の前記壁および前記凝縮端の前記相変異する物質と物理的に接触している、前記一方向熱伝導体を通して前記相変異する物質に直接移動される。前記相変異する物質は、前記作動する冷却装置を動作する電力が利用できない場合に、ある意味では、熱貯蔵器として動作する。
【００４１】
ここで使用されている「相変異する物質」は、高潜熱の物質であり、物理的な相変異の間に、熱を貯蔵および放出することが可能である。実施形態に対しての相変異する物質の前記選択は、前記物質への潜熱、前記物質への融点、前記物質への沸点、実施形態において規定の量の熱エネルギーを貯蔵することが必要な物質の体積、前記物質の毒性、前記物質の費用および前記物質の可燃性を含む条件による。前記実施形態によって、相変異する物質は、使用中に、固体、液体、半固体または気体であり得る。例えば、いくつかの実施形態において、相変異する物質は、水、メタノール、エタノール、ポリアクリル酸ナトリウム／多糖類物質または塩水和物を含む。いくつかの実施形態において、例えば、純水／氷としての体積の大部分を含む相変異する物質は、融点０℃を有している純水／氷の前記物理的特性によって好まれる。いくつかの実施形態において、例えば、塩水／塩氷としての前記体積の大部分を含む、相変異する物質は、前記塩氷の融点が、前記塩のモル濃度および前記塩水／塩氷内の内容物に基づいて０℃未満にキャリブレーションされ得るため、好まれる。いくつかの実施形態において、例えば、相変異する物質は、２０℃未満で凍るように構成される。いくつかの実施形態において、例えば、相変異する物質は、１℃から３℃の間の地点で凍るように構成される。いくつかの実施形態において、相変異する物質は、室温（例えば２５℃）では液体状である。
【００４２】
図４は、冷却装置１００の態様を説明している。前記冷却装置は、蒸発端２２７および凝縮端２２３を有する一方向熱伝導体２２０を備えている。いくつかの実施形態において、冷却装置は、前記貯蔵領域の下部の壁に相対的に９０度未満の角度で位置されている蒸発端を有する一方向熱伝導体を備えている。説明されている前記実施形態において、前記蒸発端２２７は、前記蒸発端２２７長軸をθで示される角度に、横軸に相対的に位置されている。いくつかの実施形態において、一方向熱伝導体の蒸発端の前記角度θは、９０度である。いくつかの実施形態において、一方向熱伝導体の蒸発端の前記角度θは、９０度未満である。例えば、いくつかの実施形態において、一方向熱伝導体の蒸発端の前記角度θは、約８５度である。例えば、いくつかの実施形態において、一方向熱伝導体の蒸発端の前記角度θは、約８０度である。例えば、いくつかの実施形態において、一方向熱伝導体の蒸発端の前記角度θは、約７５度である。例えば、いくつかの実施形態において、一方向熱伝導体の蒸発端の前記角度θは、約７０度である。例えば、いくつかの実施形態において、一方向熱伝導体の蒸発端の前記角度θは、約６５度である。例えば、いくつかの実施形態において、一方向熱伝導体の蒸発端の前記角度θは、約６０度である。例えば、いくつかの実施形態において、一方向熱伝導体の蒸発端の前記角度θは、約５５度である。例えば、いくつかの実施形態において、一方向熱伝導体の蒸発端の前記角度θは、約５０度である。
【００４３】
図４に説明されている前記一方向熱伝導体２２０の前記凝縮端２２３は、枝分かれ構造を備えている。説明されている前記枝分かれ構造は、３つの別個の端領域を備えており、それぞれ中央領域に付属されている。前記実施形態により、枝分かれ構造は、２つの別個の端領域または３つ以上の別個の端領域を備え得る。いくつかの実施形態は、前記蒸発端上に枝分かれ構造を有する一方向熱伝導体を備えている。一方向熱伝導体に対する枝分かれ構造の選択は、前記実施形態次第であり、例えば、特定の一方向熱伝導体の熱特性、使用される相変異物質の熱特性、および前記貯蔵領域の望ましい目標変動幅である。いくつかの実施形態は、例えば一方向熱伝導体の前記蒸発端に付属されているフィンのような、１つ以上の熱伝導要素を含んでいる。いくつかの実施形態は、例えば一方向熱伝導体の前記蒸発端に付属されているフィンのような、１つ以上の熱伝導要素を含んでいる。
【００４４】
図５は、付着されている熱制御装置５００を有する一方向熱伝導体２２０を備えている冷却装置１００を描写している。説明されている前記実施形態において、前記一方向熱伝導体２２０は、前記一方向熱伝導体２２０の前記蒸発端２２７と凝縮端２２３との間に位置されている断熱領域を備えている。示されている前記実施形態において、前記熱制御装置５００は、前記冷却装置１００の前記液体不透過性容器と前記貯蔵領域との間に位置されている断熱材２６０の層に隣接した位置で、前記一方向熱伝導体２２０に付着されている。示されている前記実施形態において、前記熱制御装置５００は、前記付着されている一方向熱伝導体２２０に対して完全に内部にある。
【００４５】
ここで使用されている「熱制御装置」は、前記蒸発端と前記凝縮端との間の一方向熱伝導体を通して、液体または気体の状態に、蒸発性液体の流れを規制するために位置され、かつ構成される装置である。熱制御装置は、刺激に応じて構成を変更し、それによって、前記付属されている一方向熱伝導体全体に沿って熱の移動を変更する。いくつかの実施形態において、熱制御装置は、バイナリ状態で動作し、前記一方向熱伝導体内の流路を開放または閉鎖する。いくつかの実施形態において、熱制御装置は、前記一方向熱伝導体内の流路を開放または閉鎖する複数の可能な状況を有するアナログ式で動作する。例えば、熱制御装置は、複数の部分的に制限された構成を有するバルブを備え得る。例えば、熱制御装置は、前記バルブを通して２０％制限された流れ、前記バルブを通して３０％制限された流れ、前記バルブを通して４０％制限された流れ、前記バルブを通して５０％制限された流れ、前記バルブを通して６０％制限された流れ、前記バルブを通して７０％制限された流れ、および前記バルブを通して８０％制限された流れを含む位置に安定して配置され得るバルブを備え得る。例えば、熱制御装置は、電磁弁であるバルブを備え得る。熱制御装置は、蒸発性の液体の流れの制御を通して、一方向熱伝導体を通して移動される前記熱エネルギーを増加または減少させ得る。熱制御装置は、温度に応じて一方向熱伝導体を通して、例えば、液体または気体のどちらかの状態の蒸発性の液体の前記流れを規制するように構成される。いくつかの実施形態において、熱制御装置は、受動装置である。例えば、受動熱制御装置は、前記一方向熱伝導体内の温度変化に応じて位置を変更するように構成されるバイメタル素子を備え得る。いくつかの実施形態において、熱制御装置は、例えば動作するための電力を必要とし、かつコントローラの前記作動する制御下にある、作動する装置である。例えば、熱制御要素は、前記一方向熱伝導体の内部の電気的に動作するバルブを備え得、前記バルブは、前記一方向熱伝導体の外部のコントローラおよび電源に付属されている。例えば、いくつかの実施形態において、熱制御要素は、例えば、グローブバルブ、前記バルブに動作可能に接続されているモーター、および前記モーターに動作可能に接続されているバッテリーのようなバルブを備えている。いくつかの実施形態において、熱制御装置は、前記規制される一方向熱伝導体の完全に内部にある。いくつかの実施形態において、熱制御装置は、部分的に、前記規制される一方向熱伝導体の内部にあり、かつ部分的に、前記規制される一方向熱伝導体の外部にあり、例えば、１つ以上の電力結合または制御特性を含んでいる。
【００４６】
いくつかの実施形態において、温度制御された容器は、前記導管内のバルブである熱制御装置を備えていない。いくつかの実施形態において、温度制御された容器は、前記容器の前記貯蔵領域内に位置されている第１の端、および前記容器の相変異する物質に突出された第２の端を有して位置されている一方向熱伝導体を備えている。前記一方向熱伝導体の断熱領域は、前記温度制御された容器の前記導管内に位置されている。そのような実施形態において、前記温度制御された容器は、前記容器の前記貯蔵領域内の温度を規制するために、前記一方向熱伝導体の長さにわたる前記温度勾配を基にしている。例えば、一方向熱伝導体は、前記一方向熱伝導体の長さに沿った熱勾配を変更する、例えば、前記一方向熱伝導体を作るために使用される前記物質、前記一方向熱伝導体内の前記液体、前記一方向熱伝導体の前記長さ、および前記一方向熱伝導体の前記直径のような、一方向熱伝導体の物理的特性に基づいて、特定の実施形態に対して選択され得る。
【００４７】
いくつかの実施形態は、前記凝縮端と前記蒸発端との間の地点の前記一方向熱伝導体に付属されている熱制御装置を備えている。いくつかの実施形態において、前記熱制御装置は、前記一方向熱伝導体に付属されているバルブを備えている。いくつかの実施形態において、前記装置は、前記貯蔵領域内に位置されている温度センサも備えており、前記温度センサは、前記熱制御装置に接続されている。いくつかの実施形態において、前記装置は、前記液体不透過性容器内に位置されている温度センサを備えており、前記温度センサは、前記熱制御装置に接続されている。いくつかの実施形態は、熱制御装置に接続されている複数の温度センサを備えている。
【００４８】
図６は、付属されている熱制御装置５００を有する一方向熱伝導体２２０を備えている冷却装置１００を描写している。示されている前記実施形態において、前記熱制御装置５００は、前記液体不透過性容器と前記冷却装置１００の前記貯蔵領域との間に位置されている断熱材２６０の層に隣接する位置で前記一方向熱伝導体２２０に付属されている。前記熱制御装置５００はまた、前記冷却装置の前記貯蔵領域の前記内部の壁２５０に付属されている温度センサ６００に取り付けられている。説明されている前記実施形態において、前記熱制御装置５００は、ワイヤコネクタ６１０で前記温度センサ６００に取り付けられている。前記熱制御装置は、電子コントローラを備え得るが、例えば、前記温度センサからデータを受け取るように、かつ、例えば温度上限および温度下限のようないくつかの内部パラメータに照らして、前記受け取られたデータに応じて、前記一方向熱伝導体内の取り付けられたバルブを開放および閉鎖するように構成される電子コントローラである。例えば、実施形態が、温度の変動幅が２℃から８℃の間の貯蔵領域を備えていた場合、電子コントローラは、受け取った前記温度センサのデータが６℃の温度を示した場合、取り付けられたバルブに、開放するように信号を送るように構成されており、かつ受け取った前記温度センサのデータが４℃の温度を示した場合、取り付けられたバルブに、閉鎖するように信号を送るように構成されるだろう。例えば、実施形態が、温度の変動幅が１℃から９℃の間の貯蔵領域を備えていた場合、電子コントローラは、受け取った前記温度センサのデータが７℃の温度を示した場合、取り付けられたバルブに、開放するように信号を送るように構成されており、かつ受け取った前記温度センサのデータが３℃の温度を示した場合、取り付けられたバルブに、閉鎖するように信号を送るように構成されるだろう。例えば、実施形態が、温度の変動幅が０℃から１０℃の間の貯蔵領域を備えていた場合、電子コントローラは、受け取った前記温度センサのデータが８℃の温度を示した場合、取り付けられたバルブに、開放するように信号を送るように構成されており、かつ受け取った前記温度センサのデータが２℃の温度を示した場合、取り付けられたバルブに、閉鎖するように信号を送るように構成されるだろう。
【００４９】
図６に説明されている前記実施形態は、前記液体不透過性容器の内部の壁面６４０に付属される温度センサ６２０も備えている。説明されている前記実施形態において、前記温度センサは、ワイヤコネクタ６３０で前記作動する冷却ユニットに接続されている。いくつかの実施形態は、前記貯蔵領域内に位置されている温度センサを備えており、前記温度センサは、前記作動する冷却ユニットに接続されている。いくつかの実施形態において、作動する冷却ユニットは、前記液体不透過性容器内に位置されている温度センサからの、温度を示す信号に応じてスイッチを入れるまたは切るように、圧縮機に信号を送るように動作するコントローラを備えている。例えば、コントローラは、前記液体不透過性容器の内容物が最少閾値未満であることを示す前記温度センサからの受け取られた信号に応じて前記圧縮機システムのスイッチを切るように構成され得る。例えば、コントローラは、前記液体不透過性容器の内容物が最大閾値未満であることを示す前記温度センサからの受け取られた信号に応じて前記圧縮機システムのスイッチを入れるように構成され得る。
【００５０】
図７は、前記液体不透過性容器内に位置され、かつワイヤコネクタ７１０で前記作動する冷却ユニットに接続されている、第１の温度センサ７００を備えている実施形態を説明している。前記実施形態は、前記液体不透過性容器内に位置され、かつワイヤコネクタ７２０で前記作動する冷却ユニットに接続もされている、第２の温度センサ７２０を備えている。いくつかの実施形態では、前記第１の温度センサは、前記一方向伝導体の凝縮端に相対的に先端に位置されており、前記第２の温度センサは、前記一方向伝導体の凝縮端に相対的に近接して位置されている。前記作動する冷却ユニットに接続されているコントローラは、例えば、前記圧縮機システムに対する制御システムの一部として、前記第１の温度センサおよび前記第２の温度センサの両方によって送信された前記温度情報を相対的に重視する。
【００５１】
いくつかの実施形態において、前記液体不透過性容器内に位置された、コントローラに接続される１つ以上のセンサがある。いくつかの実施形態において、前記センサは、少なくとも１つの温度センサを備えている。いくつかの実施形態において、前記センサは、少なくとも１つの、例えばホール効果センサのような、液面センサを備えている。いくつかの実施形態において、前記センサは、前記液体不透過性容器内の、相変異する物質の前記流体の動きを検知するように位置されている少なくとも１つの加速度計を備えている。冷却装置内の前記コントローラは、例えば、前記液体不透過性容器内で相変異する物質が凍っている場合を検知し、かつ、前記相変異する物質の前記凍結状態に応じて前記液体不透過性容器内の前記エバポレータコイルセットの作動を停止または緩和するように前記作動する冷却装置に信号を送るように構成され得る。
【００５２】
いくつかの実施形態は、前記冷却装置内部に相変異する物質を保持するように構成される、第２の液体不透過性容器を実質的に形成する１つ以上の壁；少なくとも１セットの第２のエバポレータコイルを備えており、前記１セットの第２のエバポレータコイルは少なくとも部分的に前記第２の液体不透過性容器内に位置している、作動する第２の冷却システム；および実質的に第２の貯蔵領域を形成する１つ以上の壁であって、前記１つ以上の壁の少なくとも１つの壁は前記第２の液体不透過性容器に熱接触している壁をさらに備えている。いくつかの実施形態は、前記冷却装置内に相変異する物質を保持するように構成される、第２の液体不透過性容器を実質的に形成する１つ以上の壁；少なくとも１つの作動する冷却ユニットに付着しており、少なくとも部分的に前記第２の液体不透過性容器内に位置している、第２のエバポレータコイルセット；および実質的に第２の貯蔵領域を形成する１つ以上の壁であって、前記１つ以上の壁の少なくとも１つの壁は前記第２の液体不透過性容器に熱接触している壁を備えている。
【００５３】
いくつかの実施形態は、前記冷却装置に付属されている１つ以上のセンサ、および前記１つ以上のセンサに取り付けられる送信機を備えている。例えば、前記貯蔵領域の内部の表面に付属されている温度センサに取り付けられている送信機は、定期的な基準（例えば、時間ごとに、２時間ごと、４時間ごと、８時間ごと、または毎日）で温度のデータと共に信号を送信するように構成され得る。例えば、前記貯蔵領域の内部の表面に付属される温度センサに取り付けられる送信機は、高いまたは低い閾値温度の読み込み（例えば、１℃または９℃）に応じて温度データを有する信号を送信するように構成され得る。例えば、前記液体不透過性容器内に位置されている液面センサに取り付けられている送信機は、前記液体不透過性容器内の低い液面（例えば、漏出または同様の機能不良による）に応じて信号を送信するように構成され得る。
【００５４】
示されている図８に関連する例は、本書で述べられている１つ以上の工程および／または装置を紹介するために背景として用いられ得る。図８は、冷蔵装置の内部に２つの貯蔵領域を含む冷蔵装置１００を描写している。冷蔵装置１００は、可視の外壁１１０の前面を用いて描かれている。冷蔵装置１００の示された実施形態は、市営電力供給または太陽電力等の、電力供給から稼働するように構成され、電力供給と接続するための電源コード１３０を含む。第１のドア１２０は、装置の外側の使用者に向けて、冷蔵装置の第１の貯蔵領域を実質的に開く。装置の使用者は、ドア１２０を開くためにハンドル１２５を用い得る。第２のドア８００は、装置の外側の使用者に向けて、冷蔵装置の第２の貯蔵領域を実質的に開く。装置の使用者は、ドア８１０を開くためにハンドル８１０を用い得る。
【００５５】
上記に述べられたような冷蔵装置のいくつかの実施形態は：第２の貯蔵領域を形成する１つ以上の壁；液体不透過性容器内に位置する凝縮端、および第２の貯蔵領域と熱接触している位置にある蒸発端を有する第２の一方向熱伝導体；および液体不透過性容器の第３の開口部、第２の一方向熱伝導体の外部の表面と一致する内部の表面の大きさ、形および位置を含んでいる第２の開口部、を含む。
【００５６】
図９は、冷蔵装置１００の内部に相変異する物質を保持するように構成される容器である、液体不透過性容器を実質的に形成する壁２００を含んでいる冷蔵装置１００を描写する。液体不透過性容器は、第１の開口部２３０の大きさ、形および位置が、少なくともエバポレータコイルセット２１０が通り抜けられるものである、第１の開口部２３０を含む。液体不透過性容器は、第１の一方向熱伝導体２２０の外部の表面と一致する大きさ、形および位置の内部の表面を含んでいる、第２の開口部２４０を含む。第１の一方向熱伝導体２２０は、冷蔵装置１００の、第１の液体不透過性容器内に位置する凝縮端２２３、および第１の貯蔵領域内に位置する蒸発端２２７を含む。液体不透過性容器は、第２の一方向熱伝導体９００の外部表面と一致する内部の表面の大きさ、形および位置を含んでいる第３の開口部９０５を含む。第２の一方向熱伝導体９００は、第２の貯蔵領域と熱接触している。
【００５７】
図９において示された実施形態において、第２の一方向熱伝導体９００の蒸発端の外部の表面は、平らな平面構造として構成された熱伝導素子９１０に取り付けられている。熱伝導素子９１０は、第２の貯蔵領域内に基本的に水平に位置している。図９の例証において、熱伝導素子９１０は、第２の貯蔵領域内に保冷剤９３０が位置し、保冷剤９３０と第２の一方向熱伝導体９００の蒸発端との間の熱移動を亢進するように構成されている。第２の貯蔵領域は、絶縁９２０に囲まれている。いくつかの実施形態において、第２の貯蔵領域を囲んでいる絶縁は、液体不透過性容器および第１の貯蔵領域を含む冷蔵装置の他の領域を囲んでいるものと同じ種類である。
【００５８】
上記に述べられたような冷蔵装置のいくつかの実施形態は：第２の液体不透過性容器を実質的に形成する１つ以上の壁、冷蔵装置の内部に相変異する物質を保持するように構成される第２の液体不透過性容器；凝縮端および蒸発端を有する第２の一方向熱伝導体、第２の液体不透過性容器内に位置する凝縮端および第２の貯蔵領域と熱接触している位置にある蒸発端；少なくとも１つの作動する冷却ユニットに付属している第２のエバポレータコイルセット、第２の液体不透過性容器内に少なくとも部分的に位置する第２のエバポレータコイルセット、および第２の貯蔵領域を実質的に形成する１つ以上の壁、第２の液体不透過性容器に熱接触している１つ以上の壁の少なくとも１つ、を含んでいる。
【００５９】
図１０は、冷蔵装置の実施形態の特徴を示している。示された実施形態において、冷蔵装置１００は、第１の液体不透過性容器を実質的に形成する壁２００、冷蔵装置１００の内部に相変異する物質を保持するように構成された第１の液体不透過性容器、および、作動する冷却ユニットに取り付けられ、第１の液体不透過性容器内に少なくとも部分的に位置する第１のエバポレータコイルセット２１０、を含む。示された実施形態は、凝縮端２２３および蒸発端２２７を有する第１の一方向熱伝導体２２０、第１の液体不透過性容器内に位置する凝縮端２２３を含む。第１の液体不透過性容器は、第１の開口部２３０の大きさ、形および位置が、第１のエバポレータコイルセット２１０が通り抜けられるものである、第１の開口部２３０を含む。第１の液体不透過性容器は、第１の一方向熱伝導体２２０の外部の表面と一致する大きさ、形および位置の内部の表面を含んでいる、第２の開口部２４０を含む。冷蔵装置１００は、第１の貯蔵領域を実質的に形成する壁２５０、第１の一方向熱伝導体２２０の蒸発端２２７に熱接触している壁２５０の少なくとも１つを同様に含む。
【００６０】
示された実施形態は、第２の液体不透過性容器を実質的に形成する壁１０３０、冷蔵装置１００の内部に相変異する物質を保持するように構成される第２の液体不透過性容器を同様に含む。示された実施形態において、第１の液体不透過性容器は、第２の液体不透過性容器より大きい。いくつかの実施形態において、第１の液体不透過性容器および第２の液体不透過性容器は、例えば、同じ物質から製造されているおよび／または壁の間の接合部において同じ種類のシールを含む、同じ種類の相変異する物質を保持するように構成されている。いくつかの実施形態において、第１の液体不透過性容器および第２の液体不透過性容器は、第１の液体不透過性容器および第２の液体不透過性容器それぞれにおける使用のために意図された相変異する物質の特性に適切な、例えば、相違する物質から製造されているおよび／または壁の間の接合部において相違する種類のシールを含む、相違する種類の相変異する物質を保持するように構成されている。示されている冷蔵装置１００は、第２の液体不透過性容器内に少なくとも部分的に位置し、作動する冷却ユニットに付属している第２のエバポレータコイルセット１０１０を含む。実施形態によって、第１のおよび第２のエバポレータコイルセットは、同じまたは相違する大きさであり得る。冷蔵装置１００は、凝縮端および蒸発端を有する第２の一方向熱伝導体１０４０、第２の液体不透過性容器内に位置する凝縮端を含む。第２の液体不透過性容器の壁１０３０は、第２の一方向熱伝導体１０４０の外部の表面と一致する内部の表面の大きさ、形および位置を含む、第２の開口部１０００を含んでいる。第２の一方向熱伝導体１０４０の蒸発端は、第２の一方向熱伝導体１０４０の蒸発端の外面に付属している熱伝導素子１０７０を通じて、第２の貯蔵領域に熱接触するように位置している。第２の貯蔵領域は、例えば、１つ以上の保冷剤１０６０を保持するための大きさおよび形の貯蔵領域を含み得る。保冷剤は、例えば、医薬の普及活動のために構成されたＷＨＯ承認医薬保冷剤であり得る。第２の貯蔵領域は、例えば、操作可能に制御装置に取り付けられた１つ以上の温度センサを含み得る。
【００６１】
いくつかの実施形態は、単一の圧縮機システムに取り付けられた第１のエバポレータコイルセットおよび第２のエバポレータコイルセットを含み、ここで第１のエバポレータコイルセットおよび第２のエバポレータコイルセットは、第１のエバポレータコイルセットに関連した第２のエバポレータコイルセットの動作を選択的に制御している、バルブシステムに連結されている。
【００６２】
図１１は、第１のエバポレータコイルセット２１０および第２のエバポレータコイルセット１０１０を含む冷蔵装置１００を描写している。第１のエバポレータコイルセット２１０および第２のエバポレータコイルセット１０１０は、共通の作動する冷蔵システムに両方とも連結されている。バルブシステム１１１０は、第２のエバポレータコイルセット１０１０に取り付けられている。バルブシステムは、第１の液体不透過性容器および第２の液体不透過性容器内の熱移動が、互いに対して制御されるように、エバポレータコイル内の作動液の流れを選択的に調整するように構成され得る。例えば、バルブシステムは、第２のエバポレータコイルセットを通ることなく、作動液を、第１のエバポレータコイルセットから圧縮機システム残余へ選択的に戻すように位置しているシャントを含み得る。バルブシステムは、制御装置を含み得る。
【００６３】
いくつかの実施形態において、制御装置は、温度センサなど、１つ以上の取り付けたセンサからデータを受信し、受信データに応じて、エバポレータコイル内の作動液の流れを調整するためのバルブシステムを制御し得る。いくつかの実施形態において、１つ以上のセンサは、無線接続を有するバルブシステムに操作可能に取り付けられる。いくつかの実施形態において、１つ以上のセンサは、有線接続を有するバルブシステムに操作可能に取り付けられる。
【００６４】
図１１において示されている実施形態において、バルブシステム１１１０は、第１のエバポレータコイルセット２１０と第２のエバポレータコイルセット１０１０との間に位置し、２つのセットのエバポレータコイル内の作動液の相対流れを制御する。バルブシステム１１１０は、第１の液体不透過性容器の内部に付属している温度センサ１１００に取り付けられている。温度センサ１１００は、電線コネクタ１１２０を有するバルブシステム１１１０に接続されている。バルブシステム１１１０は、接続された温度センサ１１００からデータを受信し、受信データに応じて２つのセットのエバポレータコイル内の作動液の相対流れを調整するように構成されている。例えば、受信データが、第１の液体不透過性容器が現在の制限値より上の温度を有することを示唆した場合、バルブシステムは、第１のエバポレータコイルセット内の作動液を制限、保持するように作動し得る。例えば、受信データが、第１の液体不透過性容器が現在の制限値より下の温度を有することを示唆した場合、バルブシステムは、開口するように作動し得、第２のエバポレータコイルセットへ作動液の流れを増加させる。
【００６５】
いくつかの実施形態において、冷蔵装置は：第１の液体不透過性容器を実質的に形成する１つ以上の壁、冷蔵装置の内部に相変異する物質を保持するように構成される容器；少なくとも１つの第１のエバポレータコイルセットを含む第１の作動する冷蔵システム、第１の液体不透過性容器内に少なくとも部分的に位置する第１のエバポレータコイルセット；液体不透過性容器内の第１の開口部、少なくとも１つの第１のエバポレータコイルセットが通り抜けられる第１の開口部の大きさ、形および位置；凝縮端および蒸発端を有する一方向熱伝導体、液体不透過性容器内に位置している凝縮端、液体不透過性容器内の第２の開口部、一方向熱伝導体の外部の表面と一致する大きさ、形および位置の内部の表面を含んでいる第２の開口部；第１の貯蔵領域を実質的に形成する１つ以上の壁、一方向熱伝導体の蒸発端に熱接触している１つ以上の壁の少なくとも１つ；第２の液体不透過性容器を実質的に形成する１つ以上の壁、冷蔵装置の内部に相変異する物質を保持するように構成される容器；少なくとも１つの第２のエバポレータコイルセットを含む第２の作動する冷蔵システム、第２の液体不透過性容器内に少なくとも部分的に位置する第２のエバポレータコイルセット；および第２の貯蔵領域を実質的に形成する１つ以上の壁、第２の液体不透過性容器に熱接触している１つ以上の壁の少なくとも１つ、を含む。
【００６６】
図１２は、第１の液体不透過性容器を実質的に形成する壁２００を含む冷蔵装置１００、冷蔵装置１００の内部に相変異する物質を保持するように構成される第１の液体不透過性容器を示している。冷蔵装置１００は、第１のエバポレータコイルセット２１０を含む第１の作動する冷蔵システム、第１の液体不透過性容器内に少なくとも部分的に位置している第１のエバポレータコイルセット２１０を含む。液体不透過性容器は、第１のエバポレータコイルセット２１０が通り抜けられる第１の開口部２３０の大きさ、形および位置を含む。冷蔵装置１００は、凝縮端２２３および蒸発端２２７を有する一方向熱伝導体２２０、第１の液体不透過性容器内に位置している凝縮端２２３および液体不透過性容器中の第２の開口部２４０、一方向熱伝導体２２０の外部の表面と一致する大きさ、形および位置の内部の表面を含む第２の開口部２４０を含む。冷蔵装置１００は、第１の貯蔵領域を実質的に形成する１つ以上の壁２５０、一方向熱伝導体２２０の蒸発端２２７に熱接触している壁の少なくとも１つを含む。冷蔵装置１００は、冷蔵装置１００の内部に相変異する物質を保持するように構成される、第２の液体不透過性容器を実質的に形成する１つ以上の壁１０３０を含む。冷蔵装置１００は、第２のエバポレータコイルセット１２００を含む、第２の作動する冷蔵システムを含む。第２のエバポレータコイルセット１２００は、第２の液体不透過性容器内に少なくとも部分的に位置している。冷蔵装置１００は、第２の貯蔵領域を実質的に形成する壁１２１０、第２の液体不透過性容器に熱接触している壁１２１０の少なくとも１つを含む。
【００６７】
図１２において示された実施形態において、冷蔵装置１００は、第２の液体不透過性容器内の相変異する物質および第２の貯蔵領域の壁１２１０の両方に熱接触している熱伝導プレート１２２０を通じて、第２の液体不透過性容器に熱接触している第２の貯蔵領域を実質的に形成する壁１２１０を含む。熱伝導プレートは、例えば銅またはアルミニウムである、熱伝導性材料から製造され得る。いくつかの実施形態において、第２の貯蔵領域の壁は、第２の一方向熱伝導体を通して第２の液体不透過性容器に熱接触している。いくつかの実施形態において、第２の一方向熱伝導体は、第２の液体不透過性容器内で相変異する物質と接している凝縮端、および第２の貯蔵領域の少なくとも１つ壁と接している蒸発端と位置合わせされている。いくつかの実施形態は、第２の貯蔵領域と第２の液体不透過性容器との間に、熱エネルギー移動を亢進するために位置する１つ以上の熱伝導素子を含む。例えば図１２において示された実施形態は、第２の貯蔵領域内の位置において熱伝導プレート１２２０の外面に付属している熱伝導素子１０７０を含む。同様に、図１２において示された実施形態において、第２の貯蔵領域内の熱伝導素子１０７０の間の間隔は、多数の保冷剤１０６０を保持するための位置および大きさである。いくつかの実施形態において、温度センサは、第２の貯蔵領域内に位置しており、制御装置に操作可能に取り付けられている。
【００６８】
いくつかの実施形態において、冷蔵装置は、第１のエバポレータコイルセットを含む第１の作動する冷蔵システム、および第２のエバポレータコイルセットを含む第２の作動する冷蔵システムを含む。いくつかの実施形態において、２つの作動する冷蔵システムは、独立して作動するように構成され得る。いくつかの実施形態は、並列に、および２つの作動する冷蔵システムの間の相互作用無しに作動する、２つの作動する冷蔵システムを含む。例えば、冷蔵装置中の第１の作動する冷蔵システムは、同じ冷蔵装置中の第２の作動する冷蔵システムと独立に作動するように構成され得る。いくつかの実施形態において、制御装置に両方とも接続された２つの作動する冷蔵システムが存在する。いくつかの実施形態は、第１の作動する冷蔵システムおよび第２の作動する冷蔵システムの両方に、操作可能に接続した制御装置を有する冷蔵装置を含む。いくつかの実施形態において、単一の制御装置は、冷蔵装置の一部である２つの作動する冷蔵システムをスイッチオンおよびオフにするために構成されている。例えば、制御装置は、基準の所定のセットに応じて作動する冷蔵システムの両方をスイッチオンおよびオフするために構成され得る。いくつかの実施形態において、第１の貯蔵領域は、２℃〜８℃の間の範囲において温度を維持するように構成され、第２の貯蔵領域は、−１０℃〜−１℃の間の範囲において温度を維持するように構成され、取り付けられた制御装置は、電力可用性が低下したとき、第２の温度領域より優先して第１の貯蔵領域の温度を維持するように構成される。例えば、いくつかの実施形態において、制御装置は、第１の液体不透過性容器内の、取り付けられた第１のエバポレータコイルセットを作動するための第１の作動する冷蔵システムを優先して電力を利用するように構成され、第１の作動する冷蔵システムを効果的に作動するために必要とされる以上の電力が利用可能なとき、第２の液体不透過性容器内の取り付けられた第２のエバポレータコイルセットを含む第２の作動する冷蔵システムのみを作動する。
【００６９】
いくつかの実施形態において、冷蔵装置はバッテリーを含む。例えば、冷蔵装置のいくつかの実施形態は、冷蔵装置内に位置している温度センサなど、センサに操作可能に取り付けたバッテリーを含む。例えば、冷蔵装置のいくつかの実施形態は、送信機に操作可能に取り付けられたバッテリーを含む。いくつかの実施形態において、冷蔵装置は、第１の作動する冷蔵システムおよび第２の作動する冷蔵システムに付属しているバッテリーを含む。例えば、冷蔵装置は、バッテリーを充電するために構成される１つ以上の電気生産ソーラーパネルを含むように構成され得、ここでバッテリーは、冷蔵装置内の１つ以上の作動する冷蔵システムを充電するために構成される。例えば、冷蔵装置は、バッテリーを充電するために構成されるディーゼル発電装置を含むように構成され得、ここでバッテリーは、冷蔵装置内の１つ以上の作動する冷蔵システムを充電するために構成される。
【００７０】
いくつかの実施形態において、冷蔵装置は、第１の作動する冷蔵システムおよび第２の作動する冷蔵システム取り付けられた可変動力制御システムを含む。例えば、可変動力制御システムは、可変の電力可用性に応じて、相違する速度において可変速度圧縮機システムを作動するために構成される制御装置を含み得る。例えば、可変動力制御システムは、第１の作動する冷蔵システムおよび第２の作動する冷蔵システムに直接的に取り付けられ得る。例えば、可変動力制御システムは、制御装置に取り付けられ得、そして制御装置は、第１の作動する冷蔵システムおよび第２の作動する冷蔵システムに取り付けられ、制御装置の回路中のあらかじめセットされたパラメータによって、第１の作動する冷蔵システムおよび第２の作動する冷蔵システムを選択的に制御するように構成される。
【００７１】
いくつかの実施形態において、冷蔵装置は、液体不透過性容器を実質的に形成する１つ以上の壁、冷蔵装置の内部に相変異する物質を保持するように構成される容器；エバポレータコイルセットを含む少なくとも１つの作動する冷却ユニット、液体不透過性容器内に少なくとも部分的に位置しているエバポレータコイル；中空内部内に中空内部および揮発性液体を含む一方向熱伝導体；凝縮端および蒸発端を有する一方向熱伝導体、液体不透過性容器内に位置する凝縮端、上端および下端を含む、各ひと続きの角のある直線状セグメントを含む蒸発端（ここで各上端と各下端との間の垂直の配置は、揮発性液体の加圧ヘッド内に存在する）；液体不透過性容器内の第１の開口部、少なくとも１つのエバポレータコイルセットが通り抜けることが可能な、第１の開口部の大きさ、形および位置；液体不透過性容器中の第２の開口部、熱伝導体の外部の表面と一致する大きさ、形および位置の内部の表面を含む第２の開口部；および貯蔵領域を実質的に形成する１つ以上の壁、熱伝導体の蒸発端に熱接触している１つ以上の壁の少なくとも１つを含む。
【００７２】
いくつかの実施形態において、冷蔵装置は、液体不透過性容器を実質的に形成する１つ以上の壁、冷蔵装置の内部に相変異する物質を保持するように構成される容器；エバポレータコイルセットを含む少なくとも１つの作動する冷却ユニット、液体不透過性容器内に少なくとも部分的に位置しているエバポレータコイル；中空内部内に中空内部および揮発性液体を含む一方向熱伝導体；凝縮端および蒸発端を有する一方向熱伝導体、液体不透過性容器内に位置する凝縮端、上端および下端を含む、各ひと続きの角のある直線状セグメントを含む蒸発端；液体不透過性容器内の第１の開口部、少なくとも１つのエバポレータコイルセットが通り抜けることが可能な、第１の開口部の大きさ、形および位置；液体不透過性容器中の第２の開口部、熱伝導体の外部の表面と一致する大きさ、形および位置の内部の表面を含む第２の開口部；および貯蔵領域を実質的に形成する１つ以上の壁、熱伝導体の蒸発端に熱接触している１つ以上の壁の少なくとも１つを含む。
【００７３】
図１３は、冷蔵装置内の貯蔵領域の壁２５０、および一方向熱伝導体の蒸発端２２７を示している。例証の目的のために、壁２５０は、冷蔵装置の貯蔵領域の外側に示されている。いくつかの実施形態において、図１３において描かれているような壁は、貯蔵領域内で曲げられるまたは湾曲され得るが、例証のために平らな表面として描かれている。いくつかの実施形態において、貯蔵領域の壁は、一方向熱伝導体の壁と蒸発端との間で熱移動を促進するための方法において、蒸発端が付属する壁として製造され得る。いくつかの実施形態は、貯蔵領域を実質的に形成する１つ以上の壁の少なくとも３つの壁と直接的に熱接触している蒸発端を含む。例えば、蒸発端は、熱伝導性の金属から製造した壁に付属する、熱伝導性の金属から製造した管構造を含み得る。例えば、壁および／または管構造は、アルミニウムまたは銅から製造され得る。いくつかの実施形態において、蒸発端は、例えばロールボンド製造方法を通じて、貯蔵領域の壁に組み込まれ得る。蒸発端に付属する貯蔵領域の壁は、冷蔵装置の貯蔵領域の一部を形成するための製造の後、必要に応じて曲げられるまたは湾曲され得る。いくつかの実施形態において、ロールボンド組み立て構造は、一方向熱伝導体の蒸発端であり、貯蔵領域の１つ以上の壁である。例えば、いくつかの実施形態において、ロールボンド組み立て構造は、一方向熱伝導体の蒸発端であり、貯蔵領域の２つ以上の壁を形成するために曲げられる、または湾曲されている。例えば、いくつかの実施形態において、ロールボンド組み立て構造は、一方向熱伝導体の蒸発端であり、貯蔵領域内の少なくとも１つのたなを形成するために曲げられる、または湾曲されている。
【００７４】
図１３において示されている一方向熱伝導体の示された蒸発端２２７は、管構造を含む。管構造は、内部の揮発性液体、周囲圧力よりも低い気体圧力、および気体密封接続を含む。いくつかの実施形態において、一方向熱伝導体の蒸発端の管構造の内部は、表面張力および蒸気圧を含む、実施形態において利用される特定の揮発性液体に関連して選択される焼結における隙間の大きさを有する、焼結壁を含み得る。図１３において示された実施形態において、例えば、第１の領域１３１０および第２の領域１３２０を形成する管構造の内部は、焼結表面を含む。図１４を同様に参照。いくつかの実施形態において、一方向熱伝導体の蒸発端の管構造の内部は、管構造の内部表面に融合した金属網構造などの、多孔質網を含み得る。管構造の内部に多孔質網を含んでいる実施形態において、網の孔径は、実施形態において利用される特定の揮発性液体に関連して選択され得る。例えば、孔径は、特定の揮発性液体の表面張力に関連して選択され得る。いくつかの実施形態において、一方向熱伝導体の蒸発端の管構造の内部は、実施形態において利用される特定の揮発性液体に関連して選択される溝またはテクスチャー空間を有する、溝またはテクスチャー内部表面を含み得る。
【００７５】
図１３は、一方向熱伝導体の冷蔵装置および蒸発端２２７内の貯蔵領域の壁２５０を描写し、ここで一方向熱伝導体は、中心構造１３４０を含む。中心構造１３４０は、一方向熱伝導体の蒸発端２２７に付属する。いくつかの実施形態において、中心構造は、例えば一方向熱伝導体の断熱領域を含み得る。いくつかの実施形態において、中心構造は、例えば一方向熱伝導体の凝縮端を含み得る。中心構造１３４０の下である、一方向熱伝導体の蒸発端２２７は、枝分かれ構造１３００を含む。示された枝分かれ構造は、管構造を、２つの枝に分ける枝分かれ部位を示す。いくつかの実施形態において、枝分かれ部位は、構造を３つの枝に分け得る。いくつかの実施形態において、枝分かれ部位は、構造を４つの枝に分け得る。いくつかの実施形態において、枝分かれ部位は、構造を５つの枝に分け得る。いくつかの実施形態において、枝分かれ部位は、構造を６つの枝に分け得る。いくつかの実施形態において、枝分かれ部位は、構造を多数の枝に分け得る。
【００７６】
いくつかの実施形態において、一方向熱伝導体の蒸発端は、少なくとも２つの構造上の領域に枝分かれし得、各領域は、揮発性液体を含んでいる。例えば、図１３において示された実施形態において、蒸発端２２７は、第１の領域１３１０および第２の領域１３２０を含む。使用中、揮発性液体は、中心領域１３４０を通して、枝分かれ部位１３００および各第１の領域１３１０および第２の領域１３２０へ流下し得る。いくつかの実施形態において、蒸発端の各構造上の領域は、別個のものであり結合しておらず、そのため揮発性液体は、枝分かれ部位を通過することなしに領域間を直接的に流れ得ない。いくつかの実施形態において、蒸発端の構造上の領域は、構造上の領域の最下部付近の位置において結合され揮発性液体が領域間を流れ得るときに通じる接続構造を形成する。
【００７７】
いくつかの実施形態において、蒸発端は、中空内部内に中空内部および揮発性液体を含み、ここで蒸発端は、上端および下端それぞれを含むひと続きの角のある直線状セグメントを含む。いくつかの実施形態は、蒸発端内の内部の表面の円周の辺りの変異が、揮発性液体の加圧ヘッド内であることを含む。 いくつかの実施形態は、各上端および各下端間の垂直の変異が、揮発性液体の加圧ヘッド内であることを含む。例えば、図１３において示された実施形態は、第１の領域１３１０および第２の領域１３２０において、管構造に至る枝分かれ部位１３００を含む。各領域における各直線状セグメントの角は、各セグメントの上端が、実施形態において用いられた特定の揮発性液体の加圧ヘッド内に存在する状態である。各直線状セグメントの角は、揮発性液体の表面張力を含む、構造内の使用のために意図された揮発性液体の物理的特性に基づいて選択される。
【００７８】
いくつかの実施形態は、揮発性液体を含む少なくとも１つの蒸気密封および流体封入導管を含むループ状システム、貯蔵領域内で液体不透過性容器および１つ以上の熱伝導領域両方に熱接触している導管、揮発性液体のための電動ポンプを含む導管を含んでいる。導管ポンプは、例えば制御装置からの信号に反応するように構成され得る。制御装置は、例えば十分な電力が冷蔵装置へ利用可能なとき、ポンプが作動するように信号を送るよう構成され得る。制御装置は、例えば、貯蔵領域へのドアが開けられた後、ポンプが作動するように信号を送るよう構成され得る。一方向熱伝導体の蒸発端がロールボンド組み立て構造を含む実施形態において、導管の部分は、ロールボンド組み立て構造と統合され得る。例えば、導管の部分は、一方向熱伝導体の蒸発端に含まれているロールボンド組み立て構造内の中空管構造を取り囲み、ロールボンド組み立て構造の端領域においてロールボンド組み立て構造と統合され得る。
【００７９】
図１４は、一方向熱伝導体の冷蔵装置および蒸発端２２７内の貯蔵領域の壁２５０を示し、ここで一方向熱伝導体は、中心構造１３４０を含む。中心構造１３４０は、一方向熱伝導体の蒸発端２２７に付属する。図１３において示された実施形態において、蒸発端２２７は、第１の領域１３１０および第２の領域１３２０を含む。使用中、揮発性液体は、中心領域１３４０を通して、枝分かれ部位１３００および各第１の領域１３１０および第２の領域１３２０へ流下し得る。いくつかの実施形態は、少なくとも２つの構造上の領域に枝分かれした蒸発端を含み、各領域は、揮発性液体を保持するように構成された貯蔵構造を含む。図１４は、領域の最も低い地点において、揮発性液体を保持するように構成される第１の貯蔵構造１４００を含む、第１の領域１３１０を含む。例えば、使用中、揮発性液体は、中心領域１３４０の管構造を通して、枝分かれ部位１３００および第１の領域１３１０へ流下し得る。そして揮発性液体は、第１の領域１３１０の管構造を通して、第１の貯蔵構造１４００内の第１の領域１３１０の最も低い地点における終点まで、さらに流下し得る。使用中、揮発性液体は、一方向熱伝導体の正常動作の一部として、第１の貯蔵構造１４００から吸い上げられ、第１の領域１３１０を通して上昇する。同様に、図１４は、領域の最も低い地点において、揮発性液体を保持するように構成される第２の貯蔵構造１４１０を含む、第２の領域１３２０を含む。いくつかの実施形態において、１つ以上の貯蔵構造は、取り付けられている蒸発端の全構造上の領域の幅におおよそ等しい。いくつかの実施形態において、１つ以上の貯蔵構造は、蒸発端の幅のおおよそ９０％である。いくつかの実施形態において、１つ以上の貯蔵構造は、蒸発端の幅のおおよそ８０％である。いくつかの実施形態において、１つ以上の貯蔵構造は、蒸発端の幅のおおよそ７０％である。
【００８０】
図１５は、通信システムを含む冷蔵装置１００を示す。冷蔵装置１００は、可視の外壁１１０の前面を用いて描かれている。冷蔵装置１００は、冷蔵装置１００の内部貯蔵領域を利用する使用者のために構成された、ハンドル１２５を有するドア１２０を含む。冷蔵装置１００は、送信機１５００を含む。示された実施形態において、送信機１５００は、冷蔵装置１００の外面に付属しており、目に見える。いくつかの実施形態において、送信機は、カバーの下、または冷蔵装置の内部構造内に位置し得る。送信機は、制御装置に接続され得る。送信機は、１つ以上のセンサに接続され得、１つ以上のセンサからデータに応じて信号を送るように構成され得る。いくつかの実施形態において、送信機は、携帯電話送信機である。いくつかの実施形態において、送信機は、Ｂｌｕｅｔｏｏｔｈ（登録商標）送信機である。いくつかの実施形態において、制御装置は、Ａｒｄｕｉｎｏｕｎｉｔである。
【００８１】
図１５は、送信機が、使用者１５５０によって作動され得る遠隔装置１５４０へ、信号１５６５を送る様子を描いている。例えば遠隔装置は、携帯電話、ＰＤＡ、またはラップトップを含み得る。例えば遠隔装置は、専用装置を含み得る。例えば遠隔装置は、送信機から受信した信号に応じて、ユーザーインターフェースを始めるように構成された回路を含み得る。例えば遠隔装置は、送信機から受信した信号からメモリーデータに蓄積するために構成された回路を含み得る。示された実施形態において、送信機１５００は、遠隔装置１５４０から信号１５６０を受信するために構成される受信機を含む。いくつかの実施形態において、受信機は、遠隔装置から受信した信号に応じて冷蔵装置の別の部分を始動するために構成される、制御装置に接続され得る。例えば受信機は、作動する冷蔵システムに対して信号を送るように構成された制御装置に接続され得、作動する冷蔵システムを開始または停止するための信号の種類は、遠隔装置から受信した信号に応じる。
【００８２】
使用者１５５０は、単一の示された図として示されている／本書で述べられているが、当業者は、背景が別な方法を指定しない限り、使用者１５５０は、ヒト使用者、ロボットの使用者（例えば計算エンティティ）、および／または実質的に任意のそれらの組み合わせ（例えば使用者は、１つ以上のロボットのエージェントによって補助され得る）の見本になり得ることを認識するであろう。当業者は、概して、“送信者”および／または他のエンティティ指向用語についても同じことが言え、同様にこのような用語は、背景が別な方法を指定しない限り本書で用いられることを、認識するであろう。
【００８３】
図１６は、冷蔵装置１００の  実施形態を示す。冷蔵装置１００は、可視の外壁１１０の前面を用いて示されている。冷蔵装置１００は、取り付けられた通信ユニット１６５０を有する。通信ユニットは、例えば、送信機および受信機を含み得る。通信ユニットは、例えばＬＥＤベース表示などの可視表示を含み得る。いくつかの実施形態において、例えば通信ユニットは、冷蔵装置の貯蔵領域内に位置している１つ以上の温度センサからの温度読み取りを描写するために構成されたＬＥＤ表示を含む。いくつかの実施形態において、例えば通信ユニットは、前回冷蔵装置のドアが開けられてからの時間隔離など、冷蔵装についての利用データを描写するために構成されたＬＥＤ表示を含む。いくつかの実施形態において、例えば通信ユニットは、冷蔵装置の貯蔵領域の中身に関して棚卸データを描写するために構成されたＬＥＤ表示を含む。
【００８４】
図１６において示された実施形態において、通信ユニット１６５０は、電線コネクタ１６６０を有するドア１２０の内部の１つ以上の構成部分に接続されている。通信ユニット１６５０は、冷蔵装置１００の貯蔵領域内の１つ以上のセンサに、操作可能に取り付けられている。例えばいくつかの実施形態において、通信ユニット１６５０は、１つ以上の：温度センサ、データロガー、在庫管理装置、またはそれら複数に操作可能に接続される。図１６において示されている実施形態において、通信ユニット１６５０は、電線コネクタ１６６０を有する１つ以上のセンサに接続されている。通信ユニット１６５０は、１つ以上の：送信機、受信機、メモリー、およびユーザーインターフェースを含む。いくつかの実施形態において、通信ユニット１６５０は、送信機およびセルラ信号の受信機を含む。
【００８５】
図１６において示された実施形態は、通信ユニット１６５０から伝達される信号１６４５を描写している。例えば信号１６４５は、通信ユニット１６５０からセルラタワー１６３０まで送られ得る。セルラタワー１６３０は、後に、使用者１５５０によって作動されるセルラ装置１６００へ信号１６１５を伝達し得る。セルラ装置１６００は、セルラ無線ネットワークに接続した携帯電話を含み得る。信号１６１０を、セルラタワー１６３０およびセルラネットワークへ送るように、使用者１５５０は、セルラ装置１６００を作動し得る。セルラタワー１６３０は、通信ユニット１６５０へ信号１６４０を伝達し得る。例えば、信号は、冷蔵装置１００のためのクエリー信号、または制御信号状態を含み得る。
【００８６】
いくつかの実施形態において、冷蔵装置は、例えば冷蔵装置に取り付けられたセンサによって検出されるような、所定の状態に応じて信号を伝達するように構成された通信ユニットを含む。例えば、いくつかの実施形態において、通信ユニットは、冷蔵装置の貯蔵領域内で検知温度に応じて信号を伝達するように構成され得る。例えば、いくつかの実施形態において、通信ユニットは、２４時間経過後など、経過時間の期間に応じて信号を伝達するために構成され得る。例えば、いくつかの実施形態において、通信ユニットは、冷蔵装置中の電力の再開に応じて信号を伝達するように構成され得る。いくつかの実施形態において、通信ユニットは、最低電力が利用可能なとき使用のための節電設定を含む。いくつかの実施形態において、通信ユニットは、ＬＥＤなどの視認性インジケーターを含む。いくつかの実施形態において、通信ユニットは、冷蔵装置のドアが開口しているとき、画像を記録するために構成されたカメラを含む。
【００８７】
本書で述べられているいくつかの実施において、論理および類似した実施は、コンピュータープログラムまたは他の制御構造を含み得る。例えば、電子回路は、本書で述べられているさまざな機能を実施するために構成され手配される、１つ以上の電流の回路を有し得る。いくつかの実施において、１つ以上の媒体は、このような媒体が本書で述べられているように機能するために、実施可能な装置検出指示を保持または伝達するとき、装置検出の実施を提供するために構成され得る。例えばいくつかの変形において、実施は、本書で述べられている１つ以上の働きに関連する受信能力の作動または１つ以上の指示の伝達などによる、既存のソフトウェアもしくはファームウェア、またはゲートアレイもしくはプログラム可能なハードウェアの更新もしくは修正を含み得る。あるいは、またはさらに、いくつかの変形において、実施は、特殊用途ハードウェア、ソフトウェア、ファームウェアコンポーネント、および／または特殊用途構成部分を実行またはさもなければ発動する汎用構成部分を含み得る。詳述または他の実施は、本書で述べられている具体的な伝達媒体の１つ以上の例によって伝達され、任意に、パケット送信、またはさもなければ数回における分散型媒体を通した通過による。
【００８８】
本書で述べられているいくつかの実施において、論理および類似した実施は、複数の様式に統合され得る。例えば、実施は、ハードウェア、ファームウェアおよび／またはソフトウェアにおける代理機能性を含み得る。例えば実施は、お互いに並列に作動するために構成されたシステムなど、代理機能を果たす回路システムを含み得る。例えば実施は、回路の別の部分が運転可能でないとき作動するように構成された回路の一部分となるように構成されたシステムなど、代理機能を果たす回路システムを含み得る。例えば、１セットの回路は、冷蔵装置へ十分な電力が利用可能なとき作動するように構成され得、第２のセットは、最小の電力が利用可能なとき、または外部の電力が利用可能でないとき作動するように構成され得る。いくつかの実施形態は、センサ、制御装置、メモリーユニット、および伝達ユニットなど、代理機能を果たす構成部分を含み得る。いくつかの実施形態は、主要な電気パネルの障害発生時において作動するように構成された代理機能を果たす電気パネルなど、代理機能を果たす構成部分を含み得る。
【００８９】
あるいはまたはさらに、実施は、特殊用途命令シーケンスの実行、または本書で述べられている実質的な任意の機能動作の１つ以上の発生を、可能にする、誘発する、調整する、要求するまたはさもなければ引き起こすための回路の発動を含み得る。いくつかの変形において、本書の作動可能なまたは他の論理的記述は、ソースコードとして表現され従い得る、またはさもなければ実行可能命令シーケンスとして呼び出される。例えばいくつかの背景において、実施は、ソースコード、Ｃ＋＋など、または他のコードシーケンスによって、全体または一部において提供され得る。他の実施において、市販の技術および／または本技術分野の技術を用いたソースまたは他のコードの実施は、高水準記述言語（例えば、ＣまたはＣ＋＋プログラム言語において初めに実施する述べられた技術、およびその後上記プログラム言語実施を、ロジック−シンセサイザブル（ｌｏｇｉｃ−ｓｙｎｔｈｅｓｉｚａｂｌｅ）言語実施、ハードウェア記述言語実施、ハードウェア設計シュミュレーション実施、および／または表現の他のそのような類似した形態に転換する）に、従い得る／／実施され得る／翻訳され得る／転換され得る。例えば、いくつかのまたは全ての論理的表現（例えばコンピュータープログラム言語実施）は、Ｖｅｒｉｌｏｇ−ｔｙｐｅハードウェア記述言語（例えばハードウェア記述言語（ＨＤＬ）および／または超高速集積回路ハードウェア記述言語（ＶＨＤＬ）を介する）またはハードウェア（例えば特定用途向け集積回路）を伴う物理的実施を引き起こすために用いられる他の回路モデル）として現れ得る。当業者は、これらの教示の観点において、好適な伝達または計算エレメント、資材供給、作動装置、または他の構造を、どのように得るか、構成するか、および最適化するかを認識するであろう。
【００９０】
実施形態において、本書で述べられている主題のいくつかの部分は、特定用途向け集積回路（ＡＳＩＣｓ）、現場プログラム可能ゲートアレイ（ＦＰＧＡｓ）、デジタル信号プロセッサ（ＤＳＰｓ）、または他の集積様式を介して実施される。しかし、一部または全体において本書で開示された実施形態のいくつかの態様は、１つ以上のコンピューターにおいて作動する１つ以上のコンピュータープログラムとして（例えば１つ以上のコンピューターシステムにおいて作動する１つ以上のプログラムとして）、１つ以上のプロセッサにおいて作動する１つ以上のプログラムとして（例えば１つ以上のマイクロプロセッサにおいて作動する１つ以上のプログラム）、ファームウェアとして、またはそれらの実質的に任意の組み合わせとして、集積回路において同等に実施され得、回路を設計することおよび／またはソフトウェアおよび／またはファームウェアのためにコードを書くことは、この開示の観点において当業者の技術の内に十分に存在し得る。加えて、本書で述べられている主題の態様は、さまざまな形態においてプログラム製品として供給されることが可能であり、本書で述べられている主題の例示的な実施形態は、流通を実際に行うために用いられる信号担持媒体の特定の種類にかかわらず適用される。信号担持媒体の例は、以下のものを含むが、それらに限定されない：フロッピー（登録商標）ディスク、ハードディスク装置、コンパクトディスク（ＣＤ）、デジタルビデオディスク（ＤＶＤ）、デジタルテープ、コンピューターメモリー等などのレコーダブル型媒体；ならびにデジタルおよび／またはアナログ通信媒体（例えば光ファイバーケーブル、導波管、有線通信リンク、無線通信リンク（例えば送信機、受信機、伝達論理、受信能力論理等。）、等）などの伝達型媒体。
【００９１】
一般的な意味において、本書で述べられているさまざまな実施形態は、ハードウェア、ソフトウェア、ファームウェア、および／またはそれらの実質的に任意の組み合わせなど、広範囲の電気部品；および剛体、スプリングまたはねじり体、水力学、電磁駆動装置、および／またはそれらの実質的に任意の組み合わせなど、機械力または運動を与え得る広範囲の構成部分、を有する電気機械システムのさまざまな種類によって、個々におよび／または集合的に実施され得る。
【００９２】
その結果、本書に用いられている“電気機械システム”は、変換器（例えば作動装置、モーター、圧電単結晶、微小電気機械システム（ＭＥＭＳ）、等）と操作可能に連結された電気回路、少なくとも１つの分離した電気回路を有する電気回路、少なくとも１つの集積回路を有する電気回路、少なくとも１つの特定用途向け集積回路を有する電気回路、コンピュータープログラム（例えば、本書で述べられている工程および／または装置を少なくとも部分的に実行するコンピュータープログラムによって構成された汎用コンピューター、または本書で述べられている工程および／または装置を少なくとも部分的に実行するコンピュータープログラムによって構成されたマイクロプロセッサ）によって構成された汎用計算機を形成する電気回路、メモリー装置（例えばメモリーの形態（例えばランダムアクセス、フラッシュ、リード専用、等））を形成する電気回路、通信装置（例えばモデム、通信スイッチ、光電気機器、等）を形成する電気回路、および／または光学のまたは他のアナログ（例えばグラフェンベース回路）など、それらの任意の非電気的アナログ、を含むが、これらに限定されない。電気機械システムの例は、種々の家電システム、医療機器、同様に、モーター付き輸送システム、工場自動化システム、防犯システム、および／または通信／計算システムなど、他のシステムを含むが、これらに限定されない。本書で用いられる電気機械は、背景が別の方法を指示する場合を除き、電気および機械作動両方を有するシステムに必ずしも限定されない。
【００９３】
一般的な意味において、広範囲のハードウェア、ソフトウェア、ファームウェア、および／またはそれらの任意の組み合わせによって、個々におよび／または集合的に実施され得る本書で述べられているさまざまな態様は、“電気回路”のさまざまな種類から成るとみなし得る。その結果、本書で用いられる“電気回路”は、少なくとも１つの分離した電気回路を有する電気回路、少なくとも１つの集積回路を有する電気回路、少なくとも１つの特定用途向け集積回路を有する電気回路、コンピュータープログラム（例えば、本書で述べられている工程および／または装置を少なくとも部分的に実行するコンピュータープログラムによって構成された汎用コンピューター、または本書で述べられている工程および／または装置を少なくとも部分的に実行するコンピュータープログラムによって構成されたマイクロプロセッサ）によって構成される汎用計算機を形成する電気回路、メモリー装置（例えばメモリーの形態（例えばランダムアクセス、フラッシュ、リードオンリー、等））を形成する電気回路、および／または通信装置（例えばモデム、通信スイッチ、光電気機器、等）を形成する電気回路、を含むがこれらに限定されない。本書で述べられている主題は、アナログまたは電子ファッションまたはそれらのいくつかの組み合わせにおいて、実施され得る。
【００９４】
本書で述べられている装置および／または工程の少なくとも一部分は、画像処理システムに統合され得る。典型的な画像処理システムは、概して１つ以上のシステムユニット収納、ビデオ表示装置、揮発性または非揮発性メモリーなどのメモリー、マイクロプロセッサまたはデジタル信号プロセッサなどのプロセッサ、オペレーティングシステムなどの計算エンティティ、ドライバー、適用業務プログラム、１つ以上の相互作用装置（例えばタッチパッド、タッチスクリーン、アンテナ、等）、フィードバックループおよびモーター制御（例えば、レンズの位置および／または速度の探知のためのフィードバック；望ましい焦点を与えるためのレンズの可動／歪みのためのモーター制御）を含む制御システム、を概して含む。画像処理システムは、概してデジタルスチルシステムおよび／またはデジタモーションシステムなどにおいて見つけられる、好適な市販の入手可能な構成部分を利用して、実施され得る。
【００９５】
本書で述べられている装置および／または工程の少なくとも一部分は、データ処理システムに統合され得る。データ処理システムは、１つ以上のシステムユニット収納、ビデオ表示装置、揮発性または非揮発性メモリーなどのメモリー、マイクロプロセッサまたはデジタル信号プロセッサなどのプロセッサ、オペレーティングシステムなどの計算エンティティ、ドライバー、グラフィカルユーザーインターフェース、および適用業務プログラム、１つ以上の相互作用装置（例えばタッチパッド、タッチスクリーン、アンテナ、等）、および／またはフィードバックループおよびモーター制御（例えば、位置および／または速度の探知のためのフィードバック；構成部分および／または数量の可動および／または調節のためのモーター制御）を含む制御システム、を概して含む。データ処理システムは、概してデータ計算／通信および／またはネットワークコンピューティング／通信システム等において見つけられる、好適な市販の入手可能な構成部分を利用して、実施され得る。
【００９６】
本書で述べられている構成部分（例えば働き）、装置、物体、およびそれらに付随する考察は、概念的明確さのために例として用いられ得、さまざまな形状修飾が予想される。その結果、本書で用いられている示された特定の見本および付随する考察は、より一般的な分類の典型となるように意図されている。概して、特定の見本の使用は、その分類の典型となるように意図されており、含まれていない特定の構成部分（例えば働き）、装置、および物体は、制限的に解されるべきではない。
【００９７】
本書において述べられる主題は、内部に含まれる相違する構成部分、または相違する他の構成部分と接続された相違する構成部分を時に示す。このように描かれている構造は、単に典型的ものであり、同じ機能性を果たす多くの他の構造が実施され得ることが理解される。概念上の意図において、同じ機能性を果たす任意の配置の構成部分は、望ましい機能性を果たすように効果的に“関連して”いる。したがって、特定の機能性を果たす本書で組み合わせられた任意の２つの構成部分は、構造または中間構成部分に関係なく、望ましい機能性が果たされるように、お互いに“関連する”として認識され得る。同様に、関連している任意の２つの構成部分は、望ましい機能性を果たすためにお互いに“操作可能に接続した”、または“操作可能に連結された”としてもまたみなされ得、関連する可能性がある任意の２つの構成部分は、望ましい機能性を果たすためにお互いに“操作可能に連結できる”としてもまたみなされ得る。操作可能に連結できるということの特定の例は、物理的に接合可能および／または物理的に相互作用する構成部分、および／または無線で相互作用可能、および／または無線で相互作用する構成部分、および／または論理的に相互作用する、および／または論理的に相互作用可能な構成部分を含むが、これらに限定されない。
【００９８】
いくつかの例において、１つ以上の構成要素は、本書において例えば「構成される（“configured to,” “configured by,” “configurable to,”）」、「操作可能であるように（“operable/operative to,”）」「適合される／適合可能である（“adapted/adaptable,”）」「可能である（“able to,”）」「順応する（“conformable/conformed to,”）」のように言及され得る。これらの用語（例えば「構成される」）は一般に、文脈の異なる要請が無い限り、活動状態および／または非活動状態および／または待機状態の構成要素を包含する。
【００９９】
本願の目的のため、「クラウド」コンピューティングは、クラウドコンピューティングの文献における記載のように理解され得る。例えば、クラウドコンピューティングは、業務として、コンピュータの能力またはストレージの能力を送付する方法またはシステムであり得る。「クラウド」は、１つ以上のクライアント、アプリケーション、プラットフォーム、インフラストラクチャ、および／またはサーバを含むが、それに限定されない、コンピュータまたはストレージの能力の送付における、送付または補助を行う１つ以上のハードウエアおよび／またはソフトウエアを表し得る。クラウドはクライアント、アプリケーション、プラットフォーム、インフラストラクチャ、および／またはサーバに関連する1つ以上のハードウエアおよび／またはソフトウエアを表し得る。例えば、クラウドおよびクラウドコンピューティングは、１つ以上のコンピュータ、プロセッサ、ストレージメディア、ルーター、スイッチ、モデム、バーチャルマシン（例えばバーチャルサーバ）、データセンター、オペレーティングシステム、ミドルウエア、ファームウエア、ハードウエアバックエンド、ソフトウエアバックエンド、および／またはソフトウエアアプリケーションを表し得る。クラウドはプライベートクラウド、パブリッククラウド、ハイブリッドクラウド、および／またはコミュニティクラウドを表し得る。クラウドはパブリック、プライベート、セミプライベート、ディストリビュータブル、スケーラブル、フレキシブル、テンポラリー、バーチャル、および／またはフィジカルであり得る、構成された演算リソースの共有されたプールであり得る。クラウドまたはクラウドサービスは１つ以上のタイプのネットワーク、例えばモバイルコミュニケーションネットワークおよびインターネットを介して送付され得る。
【０１００】
本願において使用されるとき、クラウドまたはクラウドサービスは、infrastructure-as-a-service (“IaaS”)、platform-as-a-service (“PaaS”)、software-as-a-service (“SaaS”)、および／またはdesktop-as-a-service (“DaaS”)のうちのいずれか１つ以上であり得る。非限定的な例として、ＩａａＳは例えば、バーチャルサーバおよび／またはストレージセンターを開始、停止、アクセス、および／または構成し得る、１つ以上のバーチャルサーバインスタンシエイションであり得る（例えば１つ以上のプロセッサ、ストレージスペース、および／またはネットワークリソースをオンデマンドで提供する、例えばＥＭＣおよびRackspace）。ＰａａＳは例えば、インフラストラクチャにおいて提供される１つ以上のソフトウエアおよび／または開発ツールを包含し得る（例えばクライアントがソフトウエアインターフェースおよびアプリケーションを作ることができる、演算プラットフォームおよび／またはソリューションスタック、例えばMicrosoft Azure）。ＳａａＳは例えば、サービスプロバイダにより提供され、ネットワークを介してアクセス可能なソフトウエアを包含し得る（例えばソフトウエアアプリケーションがネットワーク上に保存され得る、アプリケーションおよび／またはデータのためのソフトウエア、例えばGoogle Apps、SalesForce）。ＤａａＳは例えば、デスクトップ、アプリケーション、データ、および／またはサービスをネットワークを介してユーザに提供することを包含し得る（例えばマルチアプリケーションフレームワーク、フレームワークのアプリケーション、アプリケーションに関連するデータ、ならびに／またはアプリケーションおよび／もしくはデータに関連するサービスをネットワークを介して提供する、例えばCitrix）。上述のものは、本願において「クラウド」または「クラウドコンピューティング」として言及されるシステムおよび／または方法のタイプの典型例を意図するものであり、完全な、または網羅的なものと解されるべきではない。
【０１０１】
ここに説明した本主題の具体的な態様を図示及び説明したが、ここに説明した主題及びそれを拡張した態様から逸脱しない限り、変形及び変更を加えることができる。したがって、付属の請求項はその範囲内に、ここに説明した主題の真の精神及び範囲に含まれるものとしてすべての変形及び変更が含まれる。一般に、ここで使用した文言、特に付属の請求項（例えば、付属の請求項の本文）で使用した文言は、一般に「オープン」な文言であることを意図したものである（例えば、「含んでいる」という文言は、「含んでいるが、これらに限定されるものではない」と解釈すべきであり、「有している」という文言は、「少なくとも有している」と解釈すべきであり、「含む」という文言は、「含むが、これらに限定されるものではない」と解釈すべきである）。さらに、導入された請求項の記載の特定数が意図されているのであれば、このような意図は請求項中で明示的に記載されており、このような明示的な記載がない場合には、このような意図は存在しない。理解の一助として例を挙げると、以下の付属の請求項において、請求項の記載を導入するために、
「少なくとも１つの」及び「１つ以上の」等の導入的表現が使用され得る。しかし、たとえ同一請求項中に「１つ以上」又は「少なくとも１つ」という導入表現と、「ａ」又は「ａｎ」等の不定冠詞とを含んでいたとしても、不定冠詞「ａ」又は「ａｎ」による請求項の記載の導入は、このような導入された請求項の記載を含む特定の請求項を、その記載１つのみを含む請求項に限定することを含むと解釈されるべきではない（例えば、「ａ」及び／又は「ａｎ」は、通常、「少なくとも１つ」又は「１つ以上」を意味すると解釈すべきである）。同じことが、請求項の記載を導入するために使用されている定冠詞の使用についても当てはまる。さらに、たとえ請求項で導入された記載の特定数が明示的に記載されていたとしても、このような記載は、通常、少なくとも記載された数を意味していると解釈されるべきである（例えば、修飾語を使わずに単に「２つの記載」と記載されている場合、通常、当該記載が少なくとも２つ又は２つ以上含まれていることを意味する）。さらに、「Ａ、Ｂ及びＣ等のうちの少なくとも１つ」に類似の表現形式が使用されている場合、一般にこのような文構造は、限定されるものではないが、「Ａ、Ｂ及びＣのうちの少なくとも１つを有するシステム」には、Ａだけを有するシステム、Ｂだけを有するシステム、Ｃだけを有するシステム、Ａ及びＢを共に有するシステム、Ａ及びＣを共に有するシステム、Ｂ及びＣを共に有するシステム、及び／又はＡ、Ｂ及びＣを共に有するシステム等を含むことを意図している。「Ａ、Ｂ又はＣ等のうちの少なくとも１つ」に類似の表現形式が使用されている場合、一般にこのような文構造は、限定されるものではないが、「Ａ、Ｂ又はＣのうちの少なくとも１つを有するシステム」には、Ａだけを有するシステム、Ｂだけを有するシステム、Ｃだけを有するシステム、Ａ及びＢを共に有するシステム、Ａ及びＣを共に有するシステム、Ｂ及びＣを共に有するシステム、及び／又はＡ、Ｂ及びＣを共に有するシステム等を含むことを意図している。通常、２つ以上の代替の文言を提示する選言的な文言及び／又は表現は、それが明細書中、請求項中又は図面中のいずれに記載されていたとしても、文脈と矛盾しない限りにおいて、複数の文言のうちの１つを含んでいる可能性、複数の文言のうちの一方を含んでいる可能性、又は複数の文言の双方を含んでいる可能性を考慮しているものであると理解すべきである。例えば、「Ａ又はＢ」という表現は、通常、「Ａ」である可能性、又は「Ｂ」である可能性、又は「Ａ及びＢ」である可能性を含んでいるものと理解される。
【０１０２】
付属の請求項に関して、請求項中に記載の動作は、一般に任意の順序で実施しても構わない。また、様々な動作上の流れが一連の流れとして示されているが、種々の動作は図示された順序とは別の順序で実施されてもよいし、同時に実施されてもよい。このような別の順序の例には、文脈と矛盾しない限りにおいて、重複、交互、断続、並べ替え、増分、準備、追加、同時、逆、又はその他の種々の順序が含まれ得る。さらに、「反応して」、「関連して」等の文言、又はその他の過去時制形容詞は、文脈と矛盾しない限りにおいて、一般にこのような変形例を除外することを意図したものではない。
【０１０３】
本書で説明されている主題の態様は、以下のいくつかの事項に示すとおりである：
１．冷蔵装置内部に相変異する物質を保持するように構成される、液体不透過性容器を実質的に形成する１つ以上の壁；エバポレータコイルセットを含んでおり、前記エバポレータコイルは少なくとも部分的に液体不透過性容器内に位置している、少なくとも１つの作動する冷却ユニット；凝縮端および蒸発端を有し、前記凝縮端が液体不透過性容器内に位置している、一方向熱伝導体；大きさ、形および位置が、少なくともエバポレータコイルセットが通り抜けられるものである、前記液体不透過性容器の第１の開口部；内部の表面の大きさ、形および位置が、前記一方向熱伝導体の外部の表面と一致する、前記液体不透過性容器の第２の開口部；および実質的に貯蔵領域を形成する１つ以上の壁であって、前記１つ以上の壁の少なくとも１つの壁は前記一方向熱伝導体の蒸発端に熱接触している壁
を備え得る、冷蔵装置。
【０１０４】
２．前記液体不透過性容器は、上部表面にアクセスふたを備えており、上記アクセスふたは使用者が上記液体不透過性容器の内部にアクセスするために構成されている、事項１に記載の冷蔵装置。
【０１０５】
３．前記液体不透過性容器は、内部に相変異する物質を含んでいる、事項１に記載の冷蔵装置。
【０１０６】
４．前記液体不透過性容器は、前記冷蔵装置内の前記貯蔵領域の上に位置している、事項１に記載の冷蔵装置。
【０１０７】
５．前記少なくとも１つの作動する冷却ユニットは、冷却可能な冷却システムを備えている、事項１に記載の冷蔵装置。
【０１０８】
６．前記一方向熱伝導体は熱サイフォンを含んでいる、事項１に記載の冷蔵装置。
【０１０９】
７．前記一方向熱伝導体はヒートパイプを含んでいる、事項１に記載の冷蔵装置。
【０１１０】
８．前記一方向熱伝導体は、実質的に密封された内部領域を有する管状の構造、および前記密封された内部領域内に揮発性の液体を備えている、事項１に記載の冷蔵装置。
【０１１１】
９．前記一方向熱伝導体は、凝縮端および蒸発端の間に位置する断熱性の領域を備えており、前記断熱性の領域は前記液体不透過性容器および前記貯蔵領域の間に位置している、事項１に記載の冷蔵装置。
【０１１２】
１０．前記一方向熱伝導体は、少なくとも２つの構造領域に枝分かれしており、各領域が揮発性の液体を含んでいる蒸発端を備えている、事項１に記載の冷蔵装置。
【０１１３】
１１．前記一方向熱伝導体は、少なくとも２つの構造領域に枝分かれしており、各領域が揮発性の液体を保持する貯液領域を備えている、事項１に記載の冷蔵装置。
【０１１４】
１２．前記一方向熱伝導体は、中空の内部を有し、前記中空の内部に揮発性の液体を有し、凝縮端および蒸発端を有し、前記凝縮端が液体不透過性容器内に位置しており、前記蒸発端がそれぞれ上端と下端を有し、前記上端および下端の移動は前記揮発性の液体の圧力水頭内である連続した斜めの直線状の区画を有している、事項１に記載の冷蔵装置。
【０１１５】
１３．前記一方向熱伝導体は、前記実質的に貯蔵領域を形成している少なくとも１つの壁のうち、少なくとも３つの壁と直接熱接触している、事項１に記載の冷蔵装置。
【０１１６】
１４．前記一方向熱伝導体は、貯蔵領域の下部の壁に対し少なくとも９０°の角度に位置する蒸発端を備えている、事項１に記載の冷蔵装置。
【０１１７】
１５．前記一方向熱伝導体の蒸発端は枝分かれ構造を備えている、事項１に記載の冷蔵装置。
【０１１８】
１６．前記一方向熱伝導体の凝縮端は枝分かれ構造を備えている、事項１に記載の冷蔵装置。
【０１１９】
１７．前記液体不透過性容器の前記第１の開口部は、実質的に液体不透過性容器の上部表面に位置している、事項１に記載の冷蔵装置。
【０１２０】
１８．前記液体不透過性容器の前記第１の開口部は、前記液体不透過性容器および前記開口部を通り抜ける少なくとも１つのエバポレータコイルセットの間に位置する液体不透過性のシールを備えている、事項１に記載の冷蔵装置。
【０１２１】
１９．前記液体不透過性容器の第２の開口部は、実質的に前記液体不透過性容器の下部表面に位置している、事項１に記載の冷蔵装置。
【０１２２】
２０．前記液体不透過性容器の第２の開口部は、前記液体不透過性容器および前記開口部を通り抜ける熱伝導体の外部表面の間に位置している液体不透過性のシールを備えている、事項１に記載の冷蔵装置。
【０１２３】
２１．前記実質的に貯蔵領域を形成している１つ以上の壁は、熱伝導性の素材から構成され、前記１つ以上の壁の少なくとも１つは前記熱伝導体の蒸発端に付属している、事項１に記載の冷蔵装置。
【０１２４】
２２．前記実質的に貯蔵領域を形成している１つ以上の壁は、前記冷蔵装置の使用者が貯蔵領域へアクセスできるように位置しまた構成されている、可逆的に開閉可能なドアを備えている、事項１に記載の冷蔵装置。
【０１２５】
２３．前記液体不透過性容器の周りの、前記冷蔵装置の外面、前記少なくとも１つのエバポレータコイルセット、前記熱伝導体および前記貯蔵領域を形成する外殻を備えている、事項１に記載の冷蔵装置。
【０１２６】
２４．前記貯蔵領域の外部表面に隣接する位置にある断熱材を備えている、事項１に記載の冷蔵装置。
【０１２７】
２５．前記液体不透過性容器の外部表面に隣接する位置にある断熱材を備えている、事項１に記載の冷蔵装置。
【０１２８】
２６．前記少なくとも１つの作動する冷却ユニットに付属する、可変電力制御システムを備えている、事項１に記載の冷蔵装置。
【０１２９】
２７．前記少なくとも１つの作動する冷却ユニットに付属する、電池を備えている、事項１に記載の冷蔵装置。
【０１３０】
２８．前記作動する冷却ユニットに接続されており、前記液体不透過性容器内に位置する温度センサを備えている、事項1に記載の冷蔵装置。
【０１３１】
２９．前記作動する冷却ユニットに接続されており、前記貯蔵領域内に位置する温度センサを備えている、事項１に記載の冷蔵装置。
【０１３２】
３０．前記一方向熱伝導体の凝縮端および蒸発端の間の位置に付属する、熱制御装置をさらに備えている、事項１に記載の冷蔵装置。
【０１３３】
３１．前記熱制御装置は前記一方向熱伝導体に付属するバルブを備えている、事項１１に記載の冷蔵装置。
【０１３４】
３２．前記熱制御装置に接続されており、前記貯蔵領域内に位置する温度センサをさらに備えている、事項１１に記載の冷蔵装置。
【０１３５】
３３．ドアからの熱の漏れを最少としながら使用者が貯蔵領域にアクセスできるように位置し構成される、前記貯蔵領域に付属するドアを備えている、事項１に記載の冷蔵装置。
【０１３６】
３４．実質的に第２の貯蔵領域を形成する１つ以上の壁、前記液体不透過性容器内に位置する凝縮端、および前記根第２の貯蔵領域と熱接触している位置にある蒸発端を有する第２の一方向熱伝導体、および内部の表面の大きさ、形および位置が、前記第２の一方向熱伝導体の外部の表面と一致する、前記液体不透過性容器の第３の開口部を備えている、事項１に記載の冷蔵装置。
【０１３７】
３５．前記冷蔵装置内部に相変異する物質を保持するように構成される、第２の液体不透過性容器を実質的に形成する１つ以上の壁、少なくとも１つの作動する冷却ユニットに付属しており、少なくとも部分的に前記第２の液体不透過性容器内に位置している、少なくとも１つの作動する冷却ユニットに付属している、第２のエバポレータコイルセット、前記液体不透過性容器内に位置する凝縮端、および前記根第２の貯蔵領域と熱接触している位置にある蒸発端を有する第２の一方向熱伝導体、大きさ、形および位置が、少なくともエバポレータコイルセットが通り抜けられるものである、前記液体不透過性容器の第１の開口部、および実質的に第２の貯蔵領域を形成する１つ以上の壁であって、前記１つ以上の壁の少なくとも１つの壁は前記第２の一方向熱伝導体の蒸発端に熱接触している壁を備えている、事項１に記載の冷蔵装置。
【０１３８】
３６．前記冷蔵装置内部に相変異する物質を保持するように構成される、第２の液体不透過性容器を実質的に形成する１つ以上の壁、少なくとも１セットの第２のエバポレータコイルを含んでおり、前記少なくとも１セットの第２のエバポレータコイルは少なくとも部分的に前記第２の液体不透過性容器内に位置している、作動する第２の冷却システム、および実質的に第２の貯蔵領域を形成する１つ以上の壁であって、前記１つ以上の壁の少なくとも１つの壁は前記第２の液体不透過性容器に熱接触している壁を備えている、事項１に記載の冷蔵装置。
【０１３９】
３７．前記冷蔵装置に付属する１つ以上のセンサ、および前記１つ以上のセンサに付属する送信機を備えている、事項１に記載の冷蔵装置。
【０１４０】
３８．いくつかの実施形態における、冷蔵装置の内部に相変異する物質を保持するように構成される、第１の液体不透過性容器を実質的に形成する１つ以上の壁、少なくとも一部が前記第１の液体不透過性容器内に位置している、少なくとも１セットの第１のエバポレータコイルを備えている、第１の作動する冷蔵システム、大きさ、形および位置が、少なくともエバポレータコイルセットが通り抜けられるものである、前記液体不透過性容器の第１の開口部、凝縮端および蒸発端を有し、前記凝縮端は前記液体不透過性容器内に存在する、一方向熱伝導体、内部の表面の大きさ、形および位置が、前記一方向熱伝導体の外部の表面と一致する、前記液体不透過性容器の第２の開口部、実質的に第１の貯蔵領域を形成する１つ以上の壁であって、前記１つ以上の壁の少なくとも１つの壁は前記一方向熱伝導体の蒸発端に熱接触している壁、冷蔵装置内部に相変異する物質を保持するように構成される、第２の液体不透過性容器を実質的に形成する１つ以上の壁、少なくとも一部が前記第２の液体不透過性容器内に位置している、少なくとも１セットの第２のエバポレータコイルを備えている、第２の作動する冷蔵システム、および実質的に第２の貯蔵領域を形成する１つ以上の壁であって、前記１つ以上の壁の少なくとも１つの壁は前記第２の一方向熱伝導体の蒸発端に熱接触している壁を備えている冷蔵装置。
【０１４１】
３９．前記液体不透過性容器は、上部表面にアクセスふたを備えており、上記アクセスふたは使用者が上記液体不透過性容器の内部にアクセスするために構成されている、事項１６に記載の冷蔵装置。
【０１４２】
４０．前記液体不透過性容器は、内部に相変異する物質を含んでいる、事項１６に記載の冷蔵装置。
【０１４３】
４１．前記液体不透過性容器は、前記冷蔵装置内の前記貯蔵領域の上に位置している、事項１６に記載の冷蔵装置。
【０１４４】
４２．前記少なくとも１つの作動する冷却ユニットは、電気を動力とする冷却可能な冷却システムを備えている、事項１６に記載の冷蔵装置。
【０１４５】
４３．前記液体不透過性容器の前記第１６の開口部は、実質的に液体不透過性容器の上部表面に位置している、事項１に記載の冷蔵装置。
【０１４６】
４４．前記液体不透過性容器の前記第１の開口部は、前記液体不透過性容器および前記開口部を通り抜ける少なくとも１つのエバポレータコイルセットの間に位置する液体不透過性のシールを備えている、事項１６に記載の冷蔵装置。
【０１４７】
４５．前記一方向熱伝導体は熱サイフォンを含んでいる、事項１６に記載の冷蔵装置。
【０１４８】
４６．前記一方向熱伝導体はヒートパイプを含んでいる、事項１６に記載の冷蔵装置。
【０１４９】
４７．前記一方向熱伝導体は、実質的に密封された内部領域を有する管状の構造、および前記密封された内部領域内に揮発性の液体を備えている、事項１に記載の冷蔵装置。
【０１５０】
４８．前記一方向熱伝導体は、凝縮端および蒸発端の間に位置する断熱性の領域を備えており、前記断熱性の領域は前記液体不透過性容器および前記貯蔵領域の間に位置している、事項１６に記載の冷蔵装置。
【０１５１】
４９．前記一方向熱伝導体は、少なくとも２つの構造領域に枝分かれしており、各領域が揮発性の液体を含んでいる蒸発端を備えている、事項１６に記載の冷蔵装置。
【０１５２】
５０．前記一方向熱伝導体は、少なくとも２つの構造領域に枝分かれしており、各領域が揮発性の液体を保持する貯液領域を備えている、事項１６に記載の冷蔵装置。
【０１５３】
５１．前記一方向熱伝導体は、中空の内部を有し、前記中空の内部に揮発性の液体を有し、凝縮端および蒸発端を有し、前記凝縮端が液体不透過性容器内に位置しており、前記蒸発端がそれぞれ上端と下端を有し、前記上端および下端の移動は前記揮発性の液体の圧力水頭内である連続した斜めの直線状の区画を有している、事項１６に記載の冷蔵装置。
【０１５４】
５２．前記一方向熱伝導体は、前記実質的に貯蔵領域を形成している少なくとも１つの壁のうち、少なくとも３つの壁と直接熱接触している、事項１６に記載の冷蔵装置。
【０１５５】
５３．前記一方向熱伝導体は、貯蔵領域の下部の壁に対し少なくとも９０°の角度に位置する蒸発端を備えている、事項１に記載の冷蔵装置。
【０１５６】
５４．前記一方向熱伝導体の蒸発端は枝分かれ構造を備えている、事項１６に記載の冷蔵装置。
【０１５７】
５５．前記一方向熱伝導体の凝縮端は枝分かれ構造を備えている、事項１６に記載の冷蔵装置。
【０１５８】
５６．前記液体不透過性容器の前記第２の開口部は、実質的に液体不透過性容器の下部表面に位置している、事項１６に記載の冷蔵装置。
【０１５９】
５７．前記液体不透過性容器の前記第２の開口部は、前記液体不透過性容器および前記開口部を通り抜ける少なくとも１つのエバポレータコイルセットの間に位置する液体不透過性のシールを備えている、事項１６に記載の冷蔵装置。
【０１６０】
５８．前記実質的に貯蔵領域を形成している１つ以上の壁は、熱伝導性の素材から構成され、前記１つ以上の壁の少なくとも１つは前記熱伝導体の蒸発端に付属している、事項１６に記載の冷蔵装置。
【０１６１】
５９．前記実質的に貯蔵領域を形成している１つ以上の壁は、前記冷蔵装置の使用者が貯蔵領域へアクセスできるように位置し、また構成されている、可逆的に開閉可能なドアを備えている、事項１６に記載の冷蔵装置。
【０１６２】
６０．前記外殻は、前記液体不透過性容器の周りの、前記冷蔵装置の外面、前記少なくとも１つのエバポレータコイルセット、前記熱伝導体および前記貯蔵領域を形成する外殻を備えている、事項１６に記載の冷蔵装置。
【０１６３】
６１．前記隙間の内部の断熱材は、前記貯蔵領域の外部表面に隣接する位置にある断熱材を備えている、事項１に記載の冷蔵装置。
【０１６４】
６２．前記隙間の内部の断熱材は、前記液体不透過性容器の外部表面に隣接する位置にある断熱材を備えている、事項１に記載の冷蔵装置。
【０１６５】
６３．前記第１の作動する冷却ユニット、および第２の作動する冷却ユニットに付属する、可変電力制御システムを備えている、事項１６に記載の冷蔵装置。
【０１６６】
６４．前記第１の作動する冷却ユニット、および第２の作動する冷却ユニットの両方に付属する、コントローラを備えている、事項１６に記載の冷蔵装置。
【０１６７】
６５．前記少なくとも１つの冷却ユニットに付属する、電池を備えている、事項１６に記載の冷蔵装置。
【０１６８】
６６．前記作動する冷却ユニットに接続されており、前記液体不透過性容器内に位置する温度センサを備えている、事項１６に記載の冷蔵装置。
【０１６９】
６７．前記作動する冷却ユニットに接続されており、前記貯蔵領域内に位置する温度センサを備えている、事項１６に記載の冷蔵装置。
【０１７０】
６８．前記一方向熱伝導体の凝縮端および蒸発端の間の位置に付属する、熱制御装置をさらに備えている、事項１に記載の冷蔵装置。
【０１７１】
６９．前記熱制御装置は前記一方向熱伝導体に付属するバルブを備えている、事項６８に記載の冷蔵装置。
【０１７２】
７０．前記熱制御装置に接続されており、前記貯蔵領域内に位置する温度センサをさらに備えている、事項１１に記載の冷蔵装置。
【０１７３】
７１．ドアからの熱の漏れを最少としながら使用者が前記第１の貯蔵領域にアクセスできるように位置し構成される、前記第１の保存領域に隣接する外殻に付属する第１のドアを備えている、事項１６に記載の冷蔵装置。
【０１７４】
７２．ドアからの熱の漏れを最少としながら使用者が前記第１の貯蔵領域にアクセスできるように位置し構成される、前記第２の保存領域に隣接する外殻に付属する第２のドアを備えている、事項１６に記載の冷蔵装置。
【０１７５】
７３．実質的に第１の液体不透過性容器を形成する１つ以上の壁、第２の液体不透過性容器、一方向熱伝導体、実質的に第１の貯蔵領域を形成する１つ以上の壁、および実質的に第１の貯蔵領域を形成する１つ以上の壁を含んでおり、外殻の内部表面と内部の要素の間に隙間を有する、内部の構成要素を囲む外；および隙間の内部の断熱材を備えている、事項１６に記載の冷蔵装置。
【０１７６】
７４．前記冷蔵装置に付属する１つ以上のセンサ、および前記１つ以上のセンサに付属する送信機を備えている、事項１６に記載の冷蔵装置。
【０１７７】
７５．いくつかの実施形態における、冷蔵装置内部に相変異する物質を保持するように構成される、液体不透過性容器を実質的に形成する１つ以上の壁；エバポレータコイルセットを含んでおり、前記エバポレータコイルは少なくとも部分的に液体不透過性容器内に位置している、少なくとも１つの作動する冷却ユニット；中空の内部および前記中空の内部に揮発性の液体を有し凝縮端および蒸発端を有し、前記凝縮端が液体不透過性容器内に位置しており、前記蒸発端がそれぞれ上端と下端を有し、前記上端および下端の移動は前記揮発性の液体の圧力水頭内である連続した斜めの直線状の区画を有している、一方向熱伝導体；大きさ、形および位置が、少なくとも１つのエバポレータコイルセットが通り抜けられるものである、前記液体不透過性容器の第１の開口部；内部の表面の大きさ、形および位置が、前記熱伝導体の外部の表面と一致する、前記液体不透過性容器の第２の開口部；および実質的に貯蔵領域を形成する１つ以上の壁であって、前記１つ以上の壁の少なくとも１つの壁は前記熱伝導体の蒸発端に熱接触している壁を備えている、冷蔵装置。
【０１７８】
７６．前記液体不透過性容器は、上部表面にアクセスふたを備えており、上記アクセスふたは使用者が上記液体不透過性容器の内部にアクセスするために構成されている、事項２９に記載の冷蔵装置。
【０１７９】
７７．前記液体不透過性容器は、内部に相変異する物質を含んでいる、事項２９に記載の冷蔵装置。
【０１８０】
７８．前記液体不透過性容器は、前記冷蔵装置内の前記貯蔵領域の上に位置している、事項２９に記載の冷蔵装置。
【０１８１】
７９．前記少なくとも１つの作動する冷却ユニットは、冷却可能な冷却システムを備えている、事項２９に記載の冷蔵装置。
【０１８２】
８０．前記一方向熱伝導体は熱サイフォンを含んでいる、事項２９に記載の冷蔵装置。
【０１８３】
８１．前記一方向港熱伝導体はヒートパイプを含んでいる、事項２９に記載の冷蔵装置。
【０１８４】
８２．前記一方向熱伝導体は、実質的に密封された内部領域を有する管状の構造、および前記密封された内部領域内に揮発性の流体を備えている、事項２９に記載の冷蔵装置。
【０１８５】
８３．前記一方向熱伝導体は、凝縮端および蒸発端の間に位置する断熱性の領域を備えており、前記断熱性の領域は前記液体不透過性容器および前記貯蔵領域の間に位置している、事項２９に記載の冷蔵装置。
【０１８６】
８４．前記一方向熱伝導体の蒸発端は枝分かれ構造を備えている、事項１に記載の冷蔵装置。
【０１８７】
８５．前記一方向熱伝導体の凝縮端は枝分かれ構造を備えている、事項１に記載の冷蔵装置。
【０１８８】
８６．前記一方向熱伝導体は、少なくとも２つの構造領域に枝分かれしており、各領域が揮発性の液体を含んでいる蒸発端を備えている、事項２９に記載の冷蔵装置。
【０１８９】
８７．前記一方向熱伝導体は、少なくとも２つの構造領域に枝分かれしており、各領域が揮発性の液体を保持する貯液領域を備えている、事項２９に記載の冷蔵装置。
【０１９０】
８８．前記一方向熱伝導体は、中空の内部を有し、前記中空の内部に揮発性の液体を有し、凝縮端および蒸発端を有し、前記凝縮端が液体不透過性容器内に位置しており、前記蒸発端がそれぞれ上端と下端を有し、前記上端および下端の移動は前記揮発性の液体の圧力水頭内である連続した斜めの直線状の区画を有している、事項２９に記載の冷蔵装置。
【０１９１】
８９．前記一方向熱伝導体は、前記実質的に貯蔵領域を形成している少なくとも１つの壁のうち、少なくとも３つの壁と直接熱接触している、事項１に記載の冷蔵装置。
【０１９２】
９０．前記一方向熱伝導体は、貯蔵領域の下部の壁に対し少なくとも９０°の角度に位置する蒸発端を備えている、事項２９に記載の冷蔵装置。
【０１９３】
９１．前記液体不透過性容器の前記第１の開口部は、実質的に液体不透過性容器の上部表面に位置している、事項２９に記載の冷蔵装置。
【０１９４】
９２．前記液体不透過性容器の前記第１の開口部は、前記液体不透過性容器および前記開口部を通り抜ける少なくとも１つのエバポレータコイルセットの間に位置する液体不透過性のシールを備えている、事項２９に記載の冷蔵装置。
【０１９５】
９３．前記液体不透過性容器の第２の開口部は、実質的に前記液体不透過性容器の下部表面に位置している、事項２９に記載の冷蔵装置。
【０１９６】
９４．前記液体不透過性容器の第２の開口部は、前記液体不透過性容器および前記開口部を通り抜ける熱伝導体の外部表面の間に位置している液体不透過性のシールを備えている、事項２９に記載の冷蔵装置。
【０１９７】
９５．前記実質的に貯蔵領域を形成している１つ以上の壁は、熱伝導性の素材から構成され、前記１つ以上の壁の少なくとも１つは前記熱伝導体の蒸発端に付属している、事項２９に記載の冷蔵装置。
【０１９８】
９６．前記実質的に貯蔵領域を形成している１つ以上の壁は、前記冷蔵装置の使用者が貯蔵領域へアクセスできるように位置しまた構成されている、可逆的に開閉可能なドアを備えている、事項２９に記載の冷蔵装置。
【０１９９】
９７．前記液体不透過性容器の周りの、前記冷蔵装置の外面、前記少なくとも１つのエバポレータコイルセット、前記熱伝導体および前記貯蔵領域を形成する外殻を備えている、事項２９に記載の冷蔵装置。
【０２００】
９８．前記貯蔵領域の外部表面に隣接する位置にある断熱材を備えている、事項２９に記載の冷蔵装置。
【０２０１】
９９．前記液体不透過性容器の外部表面に隣接する位置にある断熱材を備えている、事項２９に記載の冷蔵装置。
【０２０２】
１００．前記少なくとも１つの作動する冷却ユニットに付属する、可変電力制御システムを備えている、事項２９に記載の冷蔵装置。
【０２０３】
１０１．前記少なくとも１つの作動する冷却ユニットに付属する、電池を備えている、事項２９に記載の冷蔵装置。
【０２０４】
１０２．前記作動する冷却ユニットに接続されており、前記液体不透過性容器内に位置する温度センサを備えている、事項２９に記載の冷蔵装置。
【０２０５】
１０３．前記作動する冷却ユニットに接続されており、前記貯蔵領域内に位置する温度センサを備えている、事項２９に記載の冷蔵装置。
【０２０６】
１０４．前記一方向熱伝導体の凝縮端および蒸発端の間の位置に付属する、熱制御装置をさらに備えている、事項２９に記載の冷蔵装置。
【０２０７】
１０５．前記熱制御装置は前記一方向熱伝導体に付属するバルブを備えている、事項３９に記載の冷蔵装置。
【０２０８】
１０６．前記熱制御装置に接続されており、前記貯蔵領域内に位置する温度センサをさらに備えている、事項３９に記載の冷蔵装置。
【０２０９】
１０７．ドアからの熱の漏れを最少としながら使用者が貯蔵領域にアクセスできるように位置し構成される、前記貯蔵領域に付属するドアを備えている、事項２９に記載の冷蔵装置。
【０２１０】
１０８．前記冷蔵装置内部に相変異する物質を保持するように構成される、第２の液体不透過性容器を実質的に形成する１つ以上の壁、少なくとも１セットの第２のエバポレータコイルを含んでおり、前記少なくとも１セットの第２のエバポレータコイルは少なくとも部分的に前記第２の液体不透過性容器内に位置している、作動する第２の冷却システム、および実質的に第２の貯蔵領域を形成する１つ以上の壁であって、前記１つ以上の壁の少なくとも１つの壁は前記第２の液体不透過性容器に熱接触している壁を備えている、事項１に記載の冷蔵装置。
【０２１１】
１０９．前記冷蔵装置に付属する１つ以上のセンサ、および前記１つ以上のセンサに付属する送信機を備えている、事項２９に記載の冷蔵装置。
【０２１２】
本明細書において言及される、および／またはアプリケーションデータシートに記載される上述のアメリカ合衆国特許、アメリカ合衆国出願公報、アメリカ合衆国出願、外国特許、外国出願、非特許刊行物は、本書と矛盾のない限りにおいて、引用により組み込まれる。
【０２１３】
様々な態様及び実施形態を以上に示したが、当業者には、他の態様及び実施形態についても明らかであろう。以上で示した様々な態様及び実施形態は、例示を目的とするものであって、限定することを意図したものではなく、本当の範囲及び精神は、添付の請求項によって示されている。
【図１】
0006788502.tif 000002
【図２】
0006788502.tif 000003
【図３】
0006788502.tif 000004
【図４】
0006788502.tif 000005
【図５】
0006788502.tif 000006
【図６】
0006788502.tif 000007
【図７】
0006788502.tif 000008
【図８】
0006788502.tif 000009
【図９】
0006788502.tif 000010
【図１０】
0006788502.tif 000011
【図１１】
0006788502.tif 000012
【図１２】
0006788502.tif 000013
【図１３】
0006788502.tif 000014
【図１４】
0006788502.tif 000015
【図１５】
0006788502.tif 000016
【図１６】
0006788502.tif 000017